(57)【要約】【課題】デジタルカメラやレンズシャッターなどのシャッター羽根、絞り羽根やプロジェクタの光量調整装置の絞り羽根などの光学機器部品として用いられ、遮光性、耐熱性、摺動性、低光沢性、導電性に優れた耐熱遮光フィルムとその製造方法を提供。【解決手段】２００℃以上の耐熱性を有する樹脂フィルム基材（Ａ）と、その片面もしくは両面にスパッタリング法で形成された５０ｎｍ以上の膜厚を有するチタン、タンタル、タングステン、バナジウム、モリブデン、コバルト、ニオブ、鉄、銅、亜鉛、アルミニウム、又は珪素から選ばれた元素を含有する金属膜（Ｂ）、及びチタン、タンタル、タングステン、バナジウム、モリブデン、コバルト、ニオブ、鉄、銅、亜鉛、アルミニウム、珪素、スズ、インジウム、ガリウム又はセリウムから選ばれた元素を含有する低反射性の酸化物膜（Ｃ）の積層膜とからなり、かつ積層膜の表面粗さが０．１〜０．７μｍである耐熱遮光フィルムにより提供。【選択図】図１
2008197610.tif 000002
【特許請求の範囲】
【請求項１】
２００℃以上の耐熱性を有する樹脂フィルム基材（Ａ）と、樹脂フィルム基材（Ａ）の片面もしくは両面にスパッタリング法で形成された５０ｎｍ以上の膜厚を有するチタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）、及び金属膜（Ｂ）上にスパッタリング法で形成された、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の酸化物膜（Ｃ）の積層膜とからなり、かつ積層膜の表面粗さが０．１〜０．７μｍ（算術平均高さＲａ）であることを特徴とする耐熱遮光フィルム。
【請求項２】
樹脂フィルム基材（Ａ）が、ポリイミド、アラミド、ポリフェニレンサルファド、又はポリエーテルサルフォンから選ばれた１種類以上の有機樹脂で構成され、その表面粗さが０．２〜０．８μｍ（算術平均高さＲａ）であることを特徴とする請求項１に記載の耐熱遮光フィルム。
【請求項３】
前記金属膜（Ｂ）の膜厚が５０〜２５０ｎｍであり、また、前記酸化物膜（Ｃ）の膜厚が５〜２４０ｎｍであることを特徴とする請求項１又は２に記載の耐熱遮光フィルム。
【請求項４】
前記積層膜の表面抵抗値が７×１０５Ω／□以下であることを特徴とする請求項１〜３のいずれかに記載の耐熱遮光フィルム。
【請求項５】
前記積層膜の光反射率が、波長３８０〜７８０ｎｍにおいて５％以下であることを特徴とする請求項１〜４に記載の耐熱遮光フィルム。
【請求項６】
樹脂フィルム基材（Ａ）の両面に、金属膜（Ｂ）と酸化物膜（Ｃ）からなる積層膜が形成されており、フィルム基板を中心として対称の構造であることを特徴とする請求項１〜５のいずれかに記載の耐熱遮光フィルム。
【請求項７】
樹脂フィルム基材（Ａ）の両面に形成される金属膜（Ｂ）同士、及び酸化物膜（Ｃ）同士は、実質的に同じ金属元素組成であることを特徴とする請求項６に記載の耐熱遮光フィルム。
【請求項８】
樹脂フィルム基材（Ａ）と前記金属膜（Ｂ）の界面に、スパッタリング法で形成された金属酸化物膜がガスバリア膜（Ｄ）として介在することを特徴とする請求項１〜７に記載の耐熱遮光フィルム。
【請求項９】
前記ガスバリア膜（Ｄ）が、チタン、タンタル、タングステン、バナジウム、モリブデン、モリブデン、コバルト、二オブ、鉄、アルミニウム、珪素、及びニッケルからなる群より選ばれる１種類以上の元素を主成分とする酸化物膜であることを特徴とする請求項８に記載の耐熱遮光フィルム。
【請求項１０】
樹脂フィルム基材（Ａ）の両面に、ガスバリア膜（Ｄ）と金属膜（Ｂ）と酸化物膜（Ｃ）からなる積層膜が形成されており、フィルム基板を中心として対称の構造であることを特徴とする請求項８又は９に記載の耐熱遮光フィルム。
【請求項１１】
樹脂フィルム基材（Ａ）の両面に形成されるガスバリア膜（Ｄ）同士、金属膜（Ｂ）同士、及び酸化物膜（Ｃ）同士は、実質的に同じ金属元素組成であることを特徴とする請求項１０に記載の耐熱遮光フィルム。
【請求項１２】
片面もしくは両面の表面粗さが０．２〜０．８μｍ（算術平均高さＲａ）の凹凸表面を有する樹脂フィルム基材（Ａ）をスパッタリング装置に供給し、金属膜形成用ターゲットを用いて、スパッタリングにより樹脂フィルム基材（Ａ）の凹凸表面上に、チタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）を形成し、次に、酸化物膜形成用ターゲットを用いて、酸素ガスを導入したスパッタリングガス雰囲気下、反応性スパッタリングにより、金属膜（Ｂ）上に、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜（Ｃ）を形成することを特徴とする請求項１〜７のいずれかに記載の耐熱遮光フィルムの製造方法。
【請求項１３】
スパッタリングガス圧が、０．２〜１．０Ｐａであることを特徴とする請求項１２に記載の耐熱遮光フィルムの製造方法。
【請求項１４】
スパッタリング時の樹脂フィルム基材（Ａ）の温度が、１８０℃以上であることを特徴とする請求項１２〜１３に記載の耐熱遮光フィルムの製造方法。
【請求項１５】
樹脂フィルム基材（Ａ）の片面に前記金属膜（Ｂ）及び前記酸化物膜（Ｃ）が形成された耐熱遮光フィルムを、さらに、スパッタリング装置に裏返した状態で供給し、スパッタリングによって樹脂フィルム基材（Ａ）の表面にチタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）及びチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜（Ｃ）を順次形成することを特徴とする請求項１〜７のいずれかに記載の耐熱遮光フィルムの製造方法。
【請求項１６】
片面もしくは両面の表面粗さが０．２〜０．８μｍ（算術平均高さＲａ）の凹凸表面を有する樹脂フィルム基材（Ａ）をスパッタリング装置に供給し、ガスバリア膜形成用ターゲットを用いて、スパッタリングにより樹脂フィルム基材（Ａ）の凹凸表面上に、まずガスバリア膜（Ｄ）を形成した後、金属膜（Ｂ）及び前記酸化物膜（Ｃ）を順次形成することを特徴とする請求項１２に記載の耐熱遮光フィルムの製造方法。
【請求項１７】
前記金属膜形成用ターゲットと前記酸化物膜形成用ターゲットが同一のものであることを特徴とする請求項１２〜１６のいずれかに記載の耐熱遮光フィルムの製造方法。
【請求項１８】
前記ガスバリア膜形成用ターゲットと前記金属膜形成用ターゲットと前記酸化物膜形成用ターゲットが同一のものであることを特徴とする請求項１６に記載の耐熱遮光フィルムの製造方法。
【請求項１９】
樹脂フィルム基材（Ａ）が、ロール状に巻き取られてスパッタリング装置のフィルム搬送部にセットされることを特徴とする請求項１２〜１８のいずれかに記載の耐熱遮光フィルムの製造方法。
【請求項２０】
成膜中の樹脂フィルム基材が冷却されずに、成膜室内でフローティングの状態でスパッタリング成膜されることを特徴とする請求項１２〜１８のいずれかに記載の耐熱遮光フィルムの製造方法。
【請求項２１】
請求項１〜１１のいずれかに記載の耐熱遮光フィルムを加工して製造された耐熱性に優れた絞り。
【請求項２２】
請求項１〜１１のいずれかに記載の耐熱遮光フィルムを羽根材として用いてなる光量調整装置。
【発明の詳細な説明】
【技術分野】
【０００１】
本発明は、耐熱遮光フィルムとその製造方法、及び絞り、光量調整装置に関し、より詳しくは、デジタルカメラ、デジタルビデオカメラのレンズシャッターなどのシャッター羽根または絞り羽根やプロジェクタの絞りや光量調整装置（オートアイリスともいう）の絞り羽根などの光学機器部品として用いられ、遮光性、耐熱性、摺動性、低光沢性、導電性に優れた耐熱遮光フィルムとその製造方法、及び絞り、光量調整装置に関する。
【背景技術】
【０００２】
現在、カメラ用のシャッター羽根や絞り羽根は、シャッタースピードが高速化し、極めて短時間に動作と停止を行うので、軽量化かつ高摺動性である必要がある。また、フィルムなどの感光材、ＣＣＤなどの撮像素子の前面を覆って光を遮るものなので、基本的に遮光性を必要とする。更に、光学機器用の羽根は、複数枚が互いに重なり合って動作するので滑らかな動作のために潤滑性が必要となる。また、各羽根間の漏れ光を防ぐために表面の反射率は低いことが望まれる。使用環境によっては、カメラ内部が高温となる場合があり、耐熱性が求められている。
一方、プレゼンテーション、ホームシアターなどの映像観賞用の投影装置である液晶プロジェクタの光量調整用絞り羽根として使用される遮光フィルムにおいても、デジタルカメラ、デジタルビデオカメラと同様な特性が求められ、特に耐熱性に関しては、カメラ以上の特性が求められている。
【０００３】
一般的に、上記遮光フィルムは、ポリエチレンテレフタレート（ＰＥＴ）などのプラスチックフィルムやＳＵＳ、ＳＫ材、Ａｌ等の金属薄板を基材としたものが実用化されている。カメラのレンズシャッターにおいて、金属薄板の遮光フィルムをシャッター羽根、絞り羽根として用いる場合、羽根材を開閉する際に、金属板同士が擦れあって大きな騒音が発生する。また、液晶プロジェクタでは、映像が変化するときに光量調整装置の羽根を高速で移動させて各画像の輝度変化を和らげる必要があるが、金属薄板の遮光フィルムを絞り羽根に用いた場合、羽根同士が擦れの騒音を繰り返し発生する。また、この騒音を低減するためには羽根を低速で動作することになり、この場合、画像の変化に光量調整が追いつかず、画像が不安定となるという問題があった。
前記問題や軽量化の観点から、近年の遮光フィルムの構成は、金属薄板でなくプラスチックフィルムを基材に用いることが主流となってきている。更に、絶縁性のプラスチックフィルムを遮光羽根に用いると、静電気の帯電によるゴミ付着の問題が生じるため、プラスチック基材を用いた遮光フィルムには導電性も求められている。上記の事情から、遮光フィルムの必要特性は、高遮光性、耐熱性、低光沢性、摺動性、導電性、低発塵性であるとされている。このような遮光フィルムの特性を満足するために、従来からさまざまな材料、フィルム構造を用いたものが提案されている。
【０００４】
例えば、特許文献１には、遮光性、低光沢性、導電性の点からランプ光源等から発せられる光を吸収させるためにカーボンブラック、チタンブラック等の導電性黒色微粒子をポリエチレンテレフタレート（ＰＥＴ）フィルムなどの樹脂フィルムに含浸させ遮光性及び導電性を持たせ、更に遮光フィルムの片面または両面をマット処理し、低光沢性とした遮光フィルムが開示されている。
特許文献２では、樹脂フィルム表面上に、遮光性と導電性を有するカーボンブラックなどの黒色顔料や潤滑剤、艶消し剤を含有した熱硬化性樹脂層を塗布し、遮光性、導電性、潤滑性、低光沢性を付与した遮光フィルムが開示されている。
特許文献３では、アルミニウム合金などの金属製羽根材料の表面に硬質炭素膜を形成した遮光材が開示されている。
特許文献４では、遮光羽根の剛性を高めるためプラスチック基材の両面に炭素繊維を含有する熱硬化性樹脂のプリプレグシートで強化した遮光羽根の構造が開示されている。
【０００５】
遮光フィルムは、デジタルカメラ、デジタルビデオカメラ、液晶プロジェクタ等の光学機器用遮光羽材として広く使用されている。近年、液晶プロジェクタではリビングルームといった明るい環境下でも鮮やかなハイコントラストな映像が楽しめるように高画質化の要求が高まっている。したがって、画質の高輝度化によりランプ光源が高出力となるため、光量調整用の絞り装置内の温度が高くなる傾向にある。光量を調整する遮光フィルムへ高出力な光が照射されるため、遮光フィルムが加熱されて熱変形しやすい環境となっている。
【０００６】
遮光フィルムの基材、例えばポリエチレンテレフタレートを基材とした遮光フィルムは、比重も軽いので広く使用されているが、ランプ光源が高出力となる場合、ポリエチレンテレフタレートは熱変形温度が低く、引張弾性率などの機械的強度が弱いため、走行中もしくは制動時に発生する振動や衝撃などで遮光羽根が歪んでしまう可能性がある。
また、遮光フィルムで低光沢性や摺動性を発揮させるためにサンドブラスト法によるマット処理が行われている。この処理は、更に、入射光を散乱させ表面の光沢性を低下させ、視認性を向上させる効果がある。上記処理により、遮光フィルムが接触しても遮光フィルム同士の接触面積が大きくならず摺動性の低下も防止できるものと考えられる。
【０００７】
デジタルカメラ、デジタルビデオカメラ、液晶プロジェクタでは、遮光フィルムをシャッター羽根、絞り羽根等として必ず複数枚近接し、かつ重なり合って使用するようになってきているため、有機成分の遮光材、潤滑剤、艶消し剤を使用している遮光フィルムでは、デジタルカメラ、デジタルビデオカメラや液晶プロジェクタが暴露される温度、湿度といった使用環境がより厳しくなっている。特に、液晶プロジェクタでは、上記したように、近年の画像の高輝度化に伴うランプ光源の高出力化により、装置（光量調整用装置、絞り装置）内の温度が２００℃付近まで上昇するようになってきている。このような厳しい環境下で、上記のような従来の遮光フィルムを使用すると、変形したり、変色したりするなど、耐久性の面で好ましくなく、実用上問題があった。
さらに、遮光フィルムの２００℃以上での高熱環境下での熱変形が大きくなると、遮光フィルム同士の接触により、高速の動作ができなくなるなど摺動性が劣化し、前記表面に微細な凹凸構造を有する低光沢性遮光フィルムであっても、このような遮光フィルム同士の接触によって擦れる度合いが多くなると低光沢性の劣化が起こるなどして、デジタルカメラ、デジタルビデオカメラ、液晶プロジェクタ本来の機能が得られなくなってしまう可能性もあった。
【０００８】
また、特許文献１では、低光沢性を発現させるためにサンドブラストによるマット処理で表面凹凸を形成した遮光フィルムが提案されている。しかし、サンドブラスト法では、フィルムの表面粗さはショット材の材質、粒度、吐出圧力等に依存し、粒径の大きいショット材は、水洗浄やブラッシング等の洗浄でフィルム表面から除去できるが、粒径が１μｍ未満と小さい粒子は洗浄後においてもフィルム表面上に残存してしまい、完全には除去しきれない。ショット材が残存すると、遮光フィルムが晒される高熱環境下では、ショット材と基材であるプラスチックフィルムとで熱膨張係数が異なるため、熱応力の差により、ショット材がフィルムから脱落してしまい、粉塵の発生源となってしまい、その周囲の光学部品に悪影響を及ぼしてしまうという問題も発生する。
【特許文献１】特開平１−１２０５０３号公報
【特許文献２】特開平４−９８０２号公報
【特許文献３】特開平２−１１６８３７号公報
【特許文献４】特開２０００−７５３５３号公報
【発明の開示】
【発明が解決しようとする課題】
【０００９】
本発明の目的は、２００℃以上の高温に晒される液晶プロジェクタの光量調整装置の絞り羽根や、カメラのシャッター装置のシャッター羽根として用いることができる、耐熱性に優れた遮光フィルム、また、導電性、低反射性（低光沢性）、軽量性を兼ね備えており、２００℃以上の高温下で長時間使用しても、これらの特性が劣化せず、粉塵の発生や変形のない耐熱性遮光フィルム、更に、この耐熱性遮光フィルムを絞り羽根に用いた、軽量で駆動時の消費電力が低い光量調整装置を提供することにある。
【課題を解決するための手段】
【００１０】
本発明者らは、上述した従来の技術の課題を解決するため、表面に微細な凹凸を有する耐熱性の樹脂フィルムを基材として用い、その上に必要によりガスバリア膜を形成してから、スパッタリング法で特定の厚さを有するチタン、タンタル、タングステン、バナジウム、モリブデン、コバルト、ニオブ、鉄、銅、亜鉛、アルミニウム、及び珪素からなる群より選ばれた１種類以上の元素を含有する金属遮光膜を形成した後、この金属膜上に、スパッタリング法でチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の金属酸化物膜を積層することで、２００℃程度の高熱環境下でも変形せず、遮光性、低光沢性、摺動性、色味、低反射性が維持できる耐熱遮光フィルムが得られ、デジタルカメラ、デジタルビデオカメラ、液晶プロジェクタなどの絞りの部材として利用できることを見出し、本発明を完成するに至った。
【００１１】
すなわち、本発明の第１の発明によれば、２００℃以上の耐熱性を有する樹脂フィルム基材（Ａ）と、樹脂フィルム基材（Ａ）の片面もしくは両面にスパッタリング法で形成された５０ｎｍ以上の膜厚を有するチタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）、及び金属膜（Ｂ）上にスパッタリング法で形成された、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の酸化物膜（Ｃ）の積層膜とからなり、かつ上記積層膜の表面粗さが０．１〜０．７μｍ（算術平均高さＲａ）であることを特徴とする耐熱遮光フィルムが提供される。
【００１２】
また、本発明の第２の発明によれば、第１の発明において、樹脂フィルム基材（Ａ）が、ポリイミド、アラミド、ポリフェニレンサルファド、又はポリエーテルサルフォンから選ばれた１種類以上の有機樹脂で構成され、かつ表面粗さが０．２〜０．８μｍ（算術平均高さＲａ）であることを特徴とする耐熱遮光フィルムが提供される。
また、本発明の第３の発明によれば、第１又は２の発明において、前記金属膜（Ｂ）の膜厚が５０〜２５０ｎｍであり、また、前記酸化物膜（Ｃ）の膜厚が５〜２４０ｎｍであることを特徴とする耐熱遮光フィルムが提供される。
また、本発明の第４の発明によれば、第１〜３のいずれかの発明において、前記積層膜の表面抵抗値が７×１０５Ω／□以下であることを特徴とする耐熱遮光フィルムが提供される。
さらに、本発明の第５の発明によれば、第１〜４の発明において、前記積層膜の光反射率が、波長３８０〜７８０ｎｍにおいて５％以下であることを特徴とする耐熱遮光フィルムが提供される。
また、本発明の第６の発明によれば、第１〜５のいずれかの発明において、樹脂フィルム基材（Ａ）の両面に、金属膜（Ｂ）と酸化物膜（Ｃ）からなる積層膜が形成されており、フィルム基板を中心として対称の構造であることを特徴とする耐熱遮光フィルム。
さらに、本発明の第７の発明によれば、第６の発明において、樹脂フィルム基材（Ａ）の両面に形成される金属膜（Ｂ）同士、及び酸化物膜（Ｃ）同士は、実質的に同じ金属元素組成であることを特徴とする耐熱遮光フィルムが提供される。
【００１３】
また、本発明の第８の発明によれば、第１〜７のいずれかの発明において、樹脂フィルム基材（Ａ）と前記金属膜（Ｂ）の界面に、スパッタリング法で形成された金属酸化物膜がガスバリア膜（Ｄ）として介在することを特徴とする耐熱遮光フィルムが提供される。
さらに、本発明の第９の発明によれば、第８の発明において、ガスバリア膜が、チタン、タンタル、タングステン、バナジウム、モリブデン、モリブデン、コバルト、二オブ、鉄、アルミニウム、珪素、及びニッケルからなる群より選ばれる１種類以上の元素を主成分とする酸化物膜であることを特徴とする耐熱遮光フィルムが提供される。
また、本発明の第１０の発明によれば、第９の発明において、樹脂フィルム基材（Ａ）の両面に形成されるガスバリア膜（Ｄ）同士、金属膜（Ｂ）同士、及び酸化物膜（Ｃ）同士は、実質的に同じ金属元素組成であることを特徴とする耐熱遮光フィルムが提供される。
また、本発明の第１１の発明によれば、第８〜１０のいずれかの発明において、樹脂フィルム基材（Ａ）の両面に、ガスバリア膜（Ｄ）と金属膜（Ｂ）と酸化物膜（Ｃ）からなる積層膜が形成されており、フィルム基板を中心として対称の構造であることを特徴とする耐熱遮光フィルムが提供される。
【００１４】
一方、本発明の第１２の発明によれば、第１〜７のいずれかの発明において、片面もしくは両面の表面粗さが０．２〜０．８μｍ（算術平均高さＲａ）の凹凸表面を有する樹脂フィルム基材（Ａ）をスパッタリング装置に供給し、金属膜形成用ターゲットを用いて、スパッタリングにより樹脂フィルム基材（Ａ）の凹凸表面上に、チタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）を形成し、次に、酸化物膜形成用ターゲットを用いて、酸素ガスを導入したスパッタリングガス雰囲気下、反応性スパッタリングにより、金属膜（Ｂ）上に、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜（Ｃ）を形成することを特徴とする耐熱遮光フィルムの製造方法が提供される。
【００１５】
また、本発明の第１３の発明によれば、第１２の発明において、スパッタリングガス圧が、０．２〜１．０Ｐａであることを特徴とする耐熱遮光フィルムの製造方法が提供される。
また、本発明の第１４の発明によれば、第１２又は１３の発明において、スパッタリング時の樹脂フィルム基材（Ａ）の温度が、１８０℃以上であることを特徴とする耐熱遮光フィルムの製造方法が提供される。
また、本発明の第１５の発明によれば、第１〜７のいずれかの発明において、樹脂フィルム基材（Ａ）の片面に前記金属膜（Ｂ）及び前記酸化物膜（Ｃ）が形成された耐熱遮光フィルムを、さらに、スパッタリング装置に裏返した状態で供給し、スパッタリングによって樹脂フィルム基材（Ａ）の表面にチタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）及びチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜（Ｃ）を順次形成することを特徴とする耐熱遮光フィルムの製造方法が提供される。
また、本発明の第１６の発明によれば、第１２の発明において、片面もしくは両面の表面粗さが０．２〜０．８μｍ（算術平均高さＲａ）の凹凸表面を有する樹脂フィルム基材（Ａ）をスパッタリング装置に供給し、ガスバリア膜形成用ターゲットを用いて、スパッタリングにより樹脂フィルム基材（Ａ）の凹凸表面上に、まずガスバリア膜（Ｄ）を形成した後、金属膜（Ｂ）及び前記酸化物膜（Ｃ）を順次形成することを特徴とする耐熱遮光フィルムの製造方法が提供される。
また、本発明の第１７の発明によれば、第１２〜１６のいずれかの発明において、前記金属膜形成用ターゲットと前記酸化物膜形成用ターゲットが同一のものであることを特徴とする耐熱遮光フィルムの製造方法が提供される。
また、本発明の第１８の発明によれば、第１６の発明において、前記ガスバリア膜形成用ターゲットと前記金属膜形成用ターゲットと前記酸化物膜形成用ターゲットが同一のものであることを特徴とする耐熱遮光フィルムの製造方法が提供される。
さらに、本発明の第１９の発明によれば、第１２〜１８のいずれかの発明において、樹脂フィルム基材（Ａ）が、ロール状に巻き取られてスパッタリング装置のフィルム搬送部にセットされることを特徴とする耐熱遮光フィルムの製造方法が提供される。
さらに、本発明の第２０の発明によれば、第１２〜１８のいずれかの発明において、成膜中の樹脂フィルム基材が冷却されずに、成膜室内でフローティングの状態でスパッタリング成膜されることを特徴とする耐熱遮光フィルムの製造方法が提供される。
【００１６】
一方、本発明の第２１の発明によれば、第１〜１１のいずれかの発明の耐熱遮光フィルムを加工して製造された耐熱性に優れた絞りが提供される。
また、本発明の第２２の発明によれば、第１〜１１のいずれかの発明の耐熱遮光フィルムを羽根材として用いてなる光量調整装置が提供される。
【発明の効果】
【００１７】
本発明の耐熱遮光フィルムは、２００℃以上の耐熱性を有する耐熱性の樹脂フィルム基材上に、スパッタリング法により特定厚さのチタン、タンタル、タングステン、バナジウム、モリブデン、コバルト、ニオブ、鉄、銅、亜鉛、アルミニウム、及び珪素からなる群より選ばれた１種類以上の元素を含有する遮光性を有する金属膜（以下、単に金属膜ともいう）と、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の酸化物膜（以下、単に酸化物膜ともいう）が形成される。また、金属膜に銅元素を含有する場合には、樹脂フィルム基材表面に、ニッケルを主成分として、チタン、タンタル、タングステン、バナジウム、モリブデン、コバルト、ニオブ、鉄、銅、亜鉛、アルミニウム、及び珪素からなる群より選ばれた１種類以上の添加元素を含有するＮｉ系金属膜が形成される。よって、耐熱性を有する遮光性の金属膜と低反射性の酸化物膜が緻密な膜組織を形成しているため、従来の塗膜工程で得られる遮光フィルムに比べ、表面の磨耗性、摩擦性、導電性に優れている。
本発明の耐熱遮光フィルムは、最表面層となる酸化物膜の種類を選ぶことで黒色度が高くて低反射特性を有する耐熱性遮光フィルムが実現できる。つまり、最表面層に可視域での透過率の低い低反射性の酸化物膜（遷移金属の酸化物膜や酸素欠損を多く含む金属酸化物膜）を金属膜上に積層すると、金属膜の高い反射率を顕著に減少することができ、さらに積層膜の表面粗さが０．１〜０．７μｍ（算術平均高さＲａ）であることも寄与して、波長３８０〜７８０ｎｍにおける光反射率は５％以下または３％以下の低反射（低光沢性）となり黒色を呈することができる。また逆に、最表面層に可視〜近赤外の透過率の高い酸化物膜を選ぶと、黒色度は劣るものの、金属膜の高反射特性を活かして、熱線を効果的に反射できる耐熱遮光フィルムが実現される。このような耐熱遮光フィルムは、例えば、プロジェクタなど絞り羽根材に用いると、強いランプ光が照射されても加熱が抑制されるため好都合である。
本発明の耐熱遮光フィルムは、従来の金属箔板に耐熱塗料を施した耐熱遮光フィルムを使用した遮光羽根に比べ、樹脂フィルムを基材として使用しているので軽量化され、絞り羽根等に搭載された時の摺動性が向上し、更には駆動モーターの小型化が可能となり、低コストに繋がる。
更に、樹脂フィルム基材の片面にのみ金属膜及び酸化物膜を形成し、金属膜及び酸化物膜が形成されていない樹脂フィルム面側に粘着材を塗布した耐熱遮光フィルムとして使用することも可能であり、カメラやプロジェクタなどの鏡筒などにおいて、低反射性や低光沢性が必要不可欠な部材の壁面に貼り付けることによって低反射面を形成することができる。
また、前記金属膜及び酸化物膜のスパッタリング成膜に際し、全く同じターゲットを使用することが可能なので、装置セッティング上のターゲット交換をする必要が無く、連続スパッタリングが可能であり、製造コストが安くなり、更に耐熱性樹脂フィルムを中心に対称型である膜構造とすることができ、成膜時の膜応力による遮光フィルムの変形を生じないので生産性に優れている。
また、本発明の遮光性の金属膜及び低反射性の酸化物膜のスパッタリング法による成膜条件を最適化すれば、前記膜を緻密で高密着な膜とすることができ、２００℃程度の高熱環境下に晒されても前記膜は剥がれることはない。前記緻密で硬質な最表面の酸化物膜が覆われているので該耐熱遮光フィルムの動作時に膜の剥がれがない。基材フィルムのマット処理、具体的には、サンドブラスト法によるフィルム表面処理の際にショット材が除去できずにフィルム表面に残存していても、その上に高温下でも高密着性を維持できる上記の緻密な積層膜が覆われているので、高温下でもショット材の脱落や膜剥がれ等による粉塵は起こらない。
したがって、本発明の耐熱遮光フィルムは、耐熱性が求められている液晶プロジェクタの光量調整装置の絞り羽根材として特に有用であり、また、デジタルカメラ、デジタルビデオカメラなどのシャッター装置のシャッター羽根材としても使用できるため、工業的に極めて有用である。
さらに、本発明の耐熱遮光フィルムを絞り羽根材として用いた光量調整装置は、金属薄板を羽根材料に用いた従来の耐熱性光量調整装置と比べて、絞り羽根材が軽量であるため絞り羽根を駆動する際の消費電力の低減が実現できる。よって、駆動モーターの小型化が可能となり、光量調整装置自体の小型化を実現することができるなどのメリットも有するため、工業的に極めて有用といえる。
【発明を実施するための最良の形態】
【００１８】
以下、本発明の耐熱遮光フィルムとその製造方法について、図１〜３を参照しながら説明する。
【００１９】
１．耐熱遮光フィルム
本発明の耐熱遮光フィルムは、２００℃以上の耐熱性を有する樹脂フィルム基材（Ａ）と、樹脂フィルム基材（Ａ）の片面もしくは両面にスパッタリング法で形成された５０ｎｍ以上の膜厚を有するチタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）、及び金属膜（Ｂ）上にスパッタリング法で形成された、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の酸化物膜（Ｃ）の積層膜とからなり、かつ上記積層膜の表面粗さが０．１〜０．７μｍ（算術平均高さＲａ）であることを特徴とする。また、金属膜（Ｂ）に銅元素が含有される場合では、ポリイミドなどの樹脂フィルムとの密着性を向上させるために樹脂フィルム基材（Ａ）と金属膜（Ｂ）の界面に、ニッケルを主成分として、チタン、タンタル、タングステン、バナジウム、モリブデン、コバルト、ニオブ、鉄、銅、亜鉛、アルミニウム、及び珪素からなる群より選ばれた１種類以上の添加元素を含有するＮｉ系金属膜を形成することを特徴とする。
【００２０】
図１は、本発明にかかる耐熱遮光フィルムの一例の構成を示す模式的な図である。本発明の遮光フィルムは、基材としての樹脂フィルム１と、その表面に形成されたチタン、タンタル、タングステン、バナジウム、モリブデン、コバルト、ニオブ、鉄、銅、亜鉛、アルミニウム、及び珪素からなる群より選ばれた１種類以上の元素を含有する金属膜２と、その上に形成されたチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の酸化物膜３との積層膜から構成されている。
そして、その積層膜は、表面粗さが０．１〜０．７μｍ（算術平均高さＲａ）、より好ましくは、０．２〜０．７μｍ、最も好ましくは、０．３〜０．６μｍである。積層膜の表面粗さが０．１μｍ未満であると低光沢性が得られず、また、積層膜の表面粗さが０．７μｍを超えると積層膜の表面欠陥が付きやすく十分な遮光性（透過率０％）を得られないという点で好ましくない。
【００２１】
樹脂フィルム１の厚みは、１２．５〜１２５μｍの範囲であることが望ましい。１２．５μｍより薄いものでは、遮光フィルムの製造時にフィルム自体のハンドリングが悪く、フィルムに傷や折れ目などの表面欠陥が付きやすくなり歩留まり高く製造することが難しい。１２５μｍより厚いと小型化が進むシャッター装置や光量調整装置へ遮光羽根を複数枚搭載することができないからである。
【００２２】
遮光性のチタン、タンタル、タングステン、バナジウム、モリブデン、コバルト、ニオブ、鉄、銅、亜鉛、アルミニウム、及び珪素からなる群より選ばれた１種類以上の元素を含有する金属膜（金属膜）（Ｂ）は、厚みが５０ｎｍ以上である。厚みが５０ｎｍ未満であると、膜の光通過が生じて十分な遮光機能を持たないので好ましくない。ただし、膜厚が厚くなると遮光性が良くなるが、２５０ｎｍを超えると、材料コストや成膜時間の増加による製造コスト高につながり、また膜の応力も大きくなって変形しやすくなる。十分な遮光性（透過率０％）と低膜応力、低製造コストを考慮すると、前記金属膜の膜厚は５０〜２５０ｎｍが好ましい。低反射性のチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する金属酸化物膜（酸化物膜）は、膜厚を２０〜２４０ｎｍとすることで可視域の反射率を低減することができる。
【００２３】
チタン、タンタル、タングステン、バナジウム、モリブデン、コバルト、ニオブ、鉄、銅、亜鉛、アルミニウム、及び珪素からなる群より選ばれた１種類以上の元素を含有する前記金属膜と、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する低反射性の前記酸化物膜とは、樹脂フィルム基板の片面に形成されていてもよいが、両面に形成されている方が好ましい。
両面に形成される場合は、フィルム基板を中心として各面の金属膜同士及び酸化物膜同士の組成及び膜厚が対称の構造であることが、より好ましい。基板の上に形成された薄膜は、基板に対して応力を与えるため、変形の要因となる。応力による変形は成膜直後でも見られる場合があるが、特に２００℃程度に加熱されると変形が大きくなり顕著となりやすい。しかし、上記のように基板の両面に形成する前記金属膜と低反射性の前記酸化物膜の材質を同じにして、基板を中心として対称の構造にすることで、加熱条件下でも応力のバランスが維持され、フラットな耐熱遮光フィルムを実現しやすい。
【００２４】
（Ａ）樹脂フィルム基材
本発明の耐熱遮光フィルムの基材である樹脂フィルム（以下、透明基材ということがある）は、その表面に算術平均高さＲａが０．２〜０．８μｍ、特に０．３〜０．７μｍの微細な凹凸構造を有することが好ましい。算術平均高さとは、算術平均粗さとも言われ、粗さ曲線からその平均線の方向に基準長さだけ抜き取り、この抜き取り部分の平均線から測定曲線までの偏差の絶対値を合計して平均した値である。Ｒａが０．２μｍより小さいと、フィルム表面に形成した金属膜の密着性が得られず、十分な低光沢性や低反射性も得られない。また、Ｒａが０．８μｍを超えると、フィルム表面の凹凸が大きすぎて凹部で金属膜の成膜ができず、フィルム表面を被覆し十分な遮光性を得ようとすれば金属膜の膜厚が厚くなってしまうためコスト高となり好ましくない。
【００２５】
基材として用いる樹脂フィルムは、透明樹脂で構成されていても顔料を練り込んだ着色樹脂で構成されていても構わないが、２００℃以上の耐熱性を有するものでなければならない。ここで、２００℃以上の耐熱性を有するフィルムとは、ガラス転移点が２００℃以上であるフィルムであり、またガラス転移点の存在しない材料については、２００℃以上の温度にて変質しないことを意味する。樹脂材料の材質としては量産性を考慮した場合、スパッタリングによるロールコーティングが可能となるような可撓性を有する材料であることが望ましい。
【００２６】
耐熱性の樹脂フィルムには、ポリイミド（ＰＩ）、アラミド（ＰＡ）、ポリフェニレンサルファイド（ＰＰＳ）、又はポリエーテルサルフォン（ＰＥＳ）から選択される１種類以上の有機樹脂材料で構成されているフィルムが好ましいが、２００℃以上の耐熱性を有していればこれらに限定されない。その中でもポリイミドフィルムは、最も耐熱温度が高く、特に好ましいフィルムである。
【００２７】
前記金属膜を形成する前の樹脂フィルム表面は、成膜前に予め表面処理して凹凸を形成する。ここで表面処理とは、例えば、ナノインプリンティング加工やショット材に砂を使用したマット処理加工を行って得ることができるが、このような処理法に限定されない。ショット材を用いたマット処理加工は、フィルムを搬送しながらフィルム表面に凹凸を形成することができるが、最適なＲａ値の凹凸は、マット処理中のフィルム搬送速度とショット材の種類、大きさに依存するので、これらの条件を最適化してフィルム表面の算術平均高さＲａ値が０．２〜０．８μｍとなるように表面処理を行う。マット処理後のフィルムは、洗浄してショット材を除去した後、乾燥する。フィルムの両面に金属膜と低反射性の酸化物膜を形成する場合は、フィルムの両面をマット処理する。
【００２８】
（Ｂ）金属膜
本発明の耐熱遮光フィルムは、２００℃の高熱環境下でも耐えうる耐熱性を有していることが特徴である。それは、スパッタリング法により上記温度以上で得た金属膜と低反射性の酸化物膜が高緻密性で耐酸化性が良く、フィルムと金属膜との密着性が良いことによる。
【００２９】
一般に金属膜は酸化されると透明度が増加するため、遮光膜となる金属膜の耐酸化性は重要である。また金属膜は、金属の種類によっては２００〜２５０℃で溶融してしまう材料もあるため、遮光膜となる金属膜は３００℃以上の高融点材料であることが重要である。本発明の耐熱遮光フィルムに用いる金属膜の材料は、耐酸化性に優れた元素周期表の４族から１２族の遷移金属元素、アルミニウム、又は珪素から選ばれる１種類以上の元素を含有することが好ましい。具体的には、前記金属膜は、チタン、タンタル、タングステン、バナジウム、モリブデン、コバルト、ニオブ、鉄、銅、亜鉛、アルミニウム、及び珪素からなる群より選ばれた１種類以上の元素を含有する金属膜であることが好ましい。これらの元素を含有する金属膜は、スパッタリング法でポリイミドなどの樹脂フィルムに成膜すると、高い密着性を得ることができる。また、上記元素の金属膜は、耐熱性や耐食性を更に向上させるため、上記金属元素以外の元素を添加して合金としたもの、或いは金属間化合物としたものを使用しても構わない。例えば鉄元素を含む金属膜には、鉄を含むステンレス材やＳＫ材の金属膜も含まれる。
なお、金属膜の材料には上記の金属元素の他、炭素、窒素が含まれていても構わない。金属膜への炭素、窒素を導入するには、それぞれ、金属膜を成膜する時のスパッタリングガス中に炭化水素ガス、窒素ガスなどの炭素元素や窒素元素を含む添加ガスを導入してスパッタリング成膜することで可能であるが、上記のような添加ガスを用いなくても、ターゲット中に炭素、窒素を含有させることでも、これらの元素を導入することができる。特に上記金属膜に炭素、窒素が含まれると耐熱性を更に改善することができるため有用である。よって、本発明の耐熱遮光フィルムの金属膜材料には、上記の方法で作製された炭化チタン、炭化タンタル、炭化タングステン、炭化モリブデン、炭化ニオブ、炭化鉄、炭化銅、炭化アルミニウム、炭化珪素、窒化チタン、窒化タンタル、窒化タングステン、窒化モリブデン、窒化ニオブ、窒化鉄、窒化銅、窒化アルミニウム、窒化珪素などの炭化物や窒化物も、十分な遮光性と耐熱性を発揮する金属膜材料であり、樹脂フィルムに対する高密着性も発揮するため含まれる。さらに本発明の耐熱遮光フィルムの金属膜材料には、これらの炭化物と窒化物の固溶体や化合物、これら炭化物および／または窒化物と上記金属元素との固溶体や化合物も同様の理由から含まれる。また、本発明の金属膜には、酸素はなるべく含まないほうが、樹脂フィルムとの高い密着性や高い遮光性を維持するためには好ましい。しかし、スパッタリングガス中に残留する酸素などが成膜時に金属膜の一部、或いは全体に中に取り込まれて含有しても、金属性や高い遮光性や樹脂フィルムとの高い密着性を損なわない程度であれば構わない。金属膜中の酸素の含有量は、樹脂フィルムとの密着性を維持するために、金属元素に対して５原子％以下、特に３原子％以下が望ましい。
また、本発明の耐熱遮光フィルムの金属膜は、組成（金属元素の含有量や種類、炭素含有量、窒素含有量、酸素含有量）の異なった複数種類の金属膜の積層膜で構成されていてもかまわない。
上記金属膜の膜厚は、５０ｎｍ以上、好ましくは５０〜２５０ｎｍとすることができる。膜厚が５０ｎｍ未満であると遮光性が不十分となり、またフィルムとの密着性が不十分になる場合があり、２５０ｎｍを超えると、フィルムとの密着性や酸化物膜の積層性は十分なものとなるが経済性の面で好ましくない。
【００３０】
密着性については、元来、有機物である樹脂フィルム基材と無機物である金属膜との間では高い密着性を得ることが難しい。これは、樹脂フィルム基材と金属膜の界面の密着性が不十分である場合、２００℃の高熱環境下で、樹脂フィルム基材と金属膜の熱膨張差により膜剥離が生じやすいからである。
このような熱膨張差による膜剥離を回避するには、樹脂フィルム基材と膜の高密着性を維持する必要があるが、本発明の金属膜は、チタン、タンタル、タングステン、バナジウム、モリブデン、コバルト、ニオブ、鉄、銅、亜鉛、アルミニウム、及び珪素からなる群より選ばれた１種類以上の元素を含有する金属膜とすることが有効である。樹脂フィルムの表面は、酸素の官能基を有しており、本発明の金属膜中には適量のチタン、タンタル、タングステン、バナジウム、モリブデン、コバルト、ニオブ、鉄、銅、亜鉛、アルミニウム、及び珪素などの酸素と結合しやすい元素が含まれており、フィルム表面の酸素の官能基と化学結合が生じて、フィルムと金属膜間の密着性が強化される。
なお、元素周期表の４族から１２族の遷移金属元素の中で、銅やクロムやマンガンを主成分とする金属膜は、樹脂フィルム、特にポリイミドフィルムなどの樹脂フィルムとの密着性が悪いので、フィルム上に直接形成すると好ましくないが、この場合は、銅以外の上記の金属膜に用いられる元素を主成分とする金属膜を密着強化膜として樹脂フィルムと銅やクロムやマンガンを主成分とする金属膜との間に形成することが望ましい。この場合は、遮光性の役割を担う膜は、銅系薄膜／密着強化膜の積層金属膜となり、密着強化膜が樹脂フィルム側に配置され、高密着化が実現できる。密着強化膜の膜厚は２〜５０ｎｍでよく、例えばニッケル系金属膜などが効果的である。密着強化膜として用いられるニッケルを主成分とする金属膜は、チタン、タンタル、タングステン、バナジウム、モリブデン、コバルト、ニオブ、鉄、銅、亜鉛、アルミニウム、及び珪素からなる群より選ばれた１種類以上の添加元素を含有されていてもかまわない。
また、スズやインジウム、ガリウムなどの金属材料は２５０℃以下で溶融化してしまうため、これらの元素を主成分とする金属膜は、本発明の耐熱遮光フィルムを構成する金属膜として利用することはできない。ただし、スズやインジウム、ガリウムなどの金属材料でも、他の元素を添加して、融点が３００℃以上に上げた材料であれば、本発明の耐熱遮光フィルムの金属膜として利用することができる。
また、希土類金属やアルカリ金属、アルカリ土類金属など、２００℃前後において酸素と結合して発熱をともなって反応する金属は、本発明の耐熱遮光フィルムにおいて遮光用の金属膜として使うことはできない。
また、鉛やカドミウム、水銀、ビスマスなどの人体や環境に対して著しく有害な金属材料は本発明の耐熱遮光フィルム材料の構成材料としては選択しない。
【００３１】
（Ｃ）酸化物膜
また、本発明の耐熱遮光フィルムは、低反射性の酸化物膜を有している。樹脂フィルム基材に形成された金属膜は反射率が高いが、金属膜の上に低反射性の酸化物膜を積層することで、耐熱遮光フィルムの波長３８０〜７８０ｎｍにおける反射率を７％以下にまで減少させることができる。低反射性の酸化物膜は、単層でも酸素含有量や構成元素の種類及び含有量の異なる層で構成されても構わない。また、金属膜上に積層する低反射性の酸化物膜は、透明度の高いものでも、透明度が低くて着色したものでもよい。
【００３２】
本発明の低反射性の酸化物膜は、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜であることが好ましい。前記酸化物膜は、高熱環境下での耐熱性、他耐食性に優れている。
具体的には、前記酸化物膜は、金属成分がチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類の元素のみからなる酸化物であってもよいが、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた２種類以上の元素を含有した酸化物膜であってもよい。また、これらの酸化物膜と金属膜との界面には、これら膜の成分の一部もしくは全てが含まれた化合物層が形成されても構わない。
この酸化物膜は、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有しており、これらの元素は不動態を形成しやすいため耐熱性の他、耐食性に優れているからである。また、チタン、タンタル、タングステン、バナジウム、モリブデン、コバルト、ニオブ、鉄、銅、亜鉛、アルミニウム、珪素、スズ、インジウム、ガリウム及びセリウムなどの元素を含む酸化物膜は、耐熱性に優れているとともに、耐摩耗性、靭性が高いことから遮光羽根として動作する上でも利点がある。
前記酸化物膜には、上記の金属元素の他、炭素、窒素が含まれていても構わない。酸化物膜に炭素、窒素を含ませると屈折率を調整することができて低反射性を実現しやすくなる。また、前記酸化物膜には、遷移金属の酸化物膜や酸素欠損を多く含む金属酸化物膜のように可視域で透過率の低い（例えば単膜で透過率が１０〜６０％）膜を採用すると、低反射性を実現して黒色を呈した耐熱遮光フィルムを得ることができる。このような酸化物膜を用いた本発明の耐熱遮光フィルムは、光反射が波長３８０〜７８０ｎｍにおいて２％以下、或いは１％以下とすることができる。前記酸化物膜には、組成（酸素含有量、炭素含有量、窒素含有量、金属元素の含有量や種類）の異なった複数種類の酸化物膜の積層膜で構成されていてもかまわない。組成が異なって屈折率と消衰係数の異なった酸化物膜の積層膜を用いることで、さらに強い反射防止効果が発現して、低反射性を実現し、黒色度の高い耐熱遮光フィルムとすることもできる。
【００３３】
上記酸化物膜の膜厚は、特に制限されないが、膜厚を５〜２４０ｎｍ、好ましくは２０〜２４０ｎｍ、より好ましくは３０〜２００ｎｍとすることで可視域の反射率を低減することができる。膜厚が５ｎｍ未満であると反射率を十分に低下できない場合があり、２４０ｎｍを超えると、表面抵抗が大きくなるだけでなく、経済性の面でも好ましくない。
また本発明の耐熱遮光フィルムは、熱線光の照射による温度上昇をなるべく回避させるために、熱線光の高反射特性を持たせることも可能である。この場合、前記酸化物膜には、上記とは逆に、可視域〜近赤外域の透過率がなるべく高い酸化物材質を使用して、酸化物膜内での熱線の吸収をなるべく抑制し、金属膜による熱線の高反射特性を利用するのである。また、そのような酸化物膜の屈折率を加味して、酸化物膜の膜厚を最適化し、酸化物膜／金属膜界面での近赤外の反射光と、外界／酸化物界面での近赤外の反射光が強め合って、高反射特性を実現させるとより好ましい。以上のような構成の熱線の高反射特性を持たせた耐熱遮光フィルムは、可視域での最大反射率が３〜７％と適度な反射率を示すことができる。反射率が高く１０％以上であると、反射光が迷光となり悪影響を及ぼすため、７％以下が好ましい。このような構成の耐熱遮光フィルムは、黒色度は劣るが、反射光の波長バランスに応じて、例えば、赤色、紫色、青色、黄土色などを呈する。
【００３４】
また、樹脂フィルムの両面に金属膜と酸化物膜が積層されている本発明の耐熱遮光フィルムにおいて、各面で透過率の異なる酸化物膜を用いて、黒色度と反射率が両面で異なった構成をもたせることも有効である。例えば、本発明の耐熱遮光フィルムをプロジェクタ用のランプに近い場所での羽根材として用いる場合には、ランプ光の照射されるフィルム面側は、光照射による温度上昇の回避を最重要視するため、可視〜近赤外光の高反射特性の面を対面させ、ランプ側と逆面はレンズユニットに向いているため可視光の反射が迷光となって嫌うことから、黒色度の高い可視域の低反射性を有する面を向けることが有効になる。その場合、ランプ側に黒色度が低くて反射率の高い面を向けて、ランプと反対側に黒色度の高い低反射性の面を向けた利用法が有効である。
前記酸化物膜の種類と前記金属膜の種類の組み合わせは特に限定されない。前記酸化物膜の材料は、その金属成分が金属膜と同じでなくともよいが、金属膜と同じ成分の酸化物膜であることが好ましい。酸化物膜は金属膜と同じ組成の金属のスパッタリングターゲットを用いて、酸素ガス導入下で反応性スパッタリング成膜することができるので、単一のカソードを有するスパッタリング装置で金属膜と低反射性の酸化物膜の両方を製造することができ、製造コストを低減することができるからである。また金属成分が金属膜と同じである酸化物膜を用いると、金属膜／酸化物膜の界面で強い化学結合が形成されるため高密着性が得られるという利点もある。
【００３５】
また、前記酸化物膜の金属成分が金属膜の成分と同じでない組み合わせの場合は、酸化物膜の金属成分（ＭＯ）と金属膜の金属成分（ＭＭ）とが、金属間化合物（ＭＭ―ＭＯまたはＭＯ―ＭＭ）もしくは複合酸化物（ＭＯ―ＭＭ―ＯまたはＭＭ―ＭＯ―Ｏ）を形成するような組み合わせ（例えば、ＳｉＶ３、Ｍｏ３Ｓｉ、Ｓｉ２Ｗ、ＴｉＶ２、ＴｉＺｎ２、ＮｂＳｉ２、ＳｉＴａ２、ＴｉＺｎ２、Ｓｉ２Ｔｉ、ＡｌＮｂ３、ＡｌＭｏ３、などの金属間化合物や、ＺｎＴａ２Ｏ６、ＺｎＮｂ２Ｏ６、ＦｅＡｌ２Ｏ４、ＺｎＡｌ２Ｏ４、ＣｏＡｌ２Ｏ４、ＣｏＦｅ２Ｏ４、Ｉｎ２Ｓｉ２Ｏ７などの複合酸化物）であると、金属膜と酸化物膜との界面での化学結合性が高くなり高密着性が得られるため、より好ましい。
ここで、プラスチックフィルムは、一般に絶縁性のため静電気が発生しやすいが、仮に絶縁性の遮光フィルムを用いて遮光羽根として動作した場合には、静電気が発生して、羽根同士が静電吸着する場合がある。羽根同士が吸着しないためには、遮光フィルムに導電性が必要といえる。
【００３６】
本発明の耐熱遮光フィルムに用いる金属膜及び酸化物膜の材料は、具体的な金属膜としては、チタン、タンタル、タングステン、バナジウム、モリブデン、コバルト、ニオブ、鉄、銅、亜鉛、アルミニウム、及び珪素からなる群より選ばれた１種類以上の元素を含有する金属膜であり、酸化物膜としては、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜であるため、導電性を有しており、表面抵抗値が１０１３Ω／□（オーム・パー・スクエアと読む）以上である樹脂塗膜系などの遮光フィルムに比べ、表面抵抗値を７×１０５Ω／□以下と小さくすることができる。本発明の耐熱遮光フィルムでは酸化物膜に導電性の高い材料（例えば、酸化チタン、酸化タングステン、酸化バナジウム、酸化モリブデン、酸化ニオブ、酸化鉄、酸化銅、酸化亜鉛、酸化スズ、酸化インジウム、酸化ガリウム、酸化セリウムなど）を選択することで表面抵抗値を８００Ω／□以下、好ましくは１００Ω／□以下、更には１０Ω／□以下にすることができる。
【００３７】
なお、本発明の耐熱遮光フィルムは、上記酸化物膜の表面に、潤滑性や低摩擦性を有する他の薄膜（例えば、フッ素含有の有機膜や、炭素膜、ダイヤモンドライクカーボン膜など）を薄く塗布して利用しても、本発明の特徴を損なわなければ構わない。
本発明の耐熱遮光フィルムにおいては、金属膜上の最表面に、酸素欠損を有する酸化物や遷移金属の酸化物膜などの可視域での透過率の低い酸化物膜を採用することで、積層膜の光反射が、波長３８０〜７８０ｎｍにおいて５％以下、或いは３％以下で黒色度の高い耐熱遮光フィルムを実現することができる。このような耐熱遮光フィルムは、光反射を極力抑制したい光学フィルム部材（例えばシャッター羽根など）として有用である。また、本発明の耐熱遮光フィルムにおいては、金属膜上の最表面に、可視〜近赤外域の透過率の高い酸化物膜を採用することで、黒色度は劣るが、強いランプ光が照射されても熱線を金属膜で効果的に反射して加熱温度上昇を効果的に避けるような特徴をもたせることができる。液晶プロジェクタのランプ光の側に配置される絞り羽根部材に用いられる耐熱遮光フィルムとして有用である。
【００３８】
（Ｄ）ガスバリア膜
通常、ポリイミドなどの樹脂フィルム基材には、酸素や水分が多く含まれる。ポリイミド中のこれらのガスは、成膜前に加熱処理等を行って除去する。しかし、十分に除去できずに、金属膜と酸化物膜を形成して製造された耐熱遮光フィルムは、２５０℃前後の高温環境下におかれると、樹脂フィルムから酸素や水分が放出されて金属膜内の一部に酸素が進入する。酸素が進入した金属膜は光学定数が異なるため、耐熱遮光フィルムの色味の変化が生じてしまう。また、成膜前に十分にガス抜きを行って製造された耐熱遮光フィルムでも、恒温恒湿試験（例えば、８５℃、９０％ＲＨ、１０００時間）の環境下に耐熱遮光フィルムを配置すると、樹脂フィルムの側面から水や酸素が進入して、金属膜の樹脂フィルム側の一部に酸素が進入して、同様の要因で色味が変わってしまう。
このような色味変化を回避するため、本発明では、樹脂フィルム基材と前記金属膜の界面に、ガスバリア膜として金属酸化物膜をスパッタリング法で形成する。ガスバリア膜は、例えば、チタン、タンタル、タングステン、バナジウム、モリブデン、モリブデン、コバルト、二オブ、鉄、アルミニウム、珪素、ニッケルからなる群より選ばれる１種類以上の元素を主成分とする酸化物膜が有効である。これらのガスバリア膜は、化学量論組成よりも酸素欠損を有する膜の方が、膜の緻密性が高いため、フィルムから放出されるガスの通過を、より効果的に阻止できる。ガスバリア膜は５〜３０ｎｍほど形成されていれば効果的である。
【００３９】
２．耐熱遮光フィルムの製造方法
本発明の耐熱遮光フィルムの製造方法は、片面もしくは両面の表面粗さが０．２〜０．８μｍ（算術平均高さＲａ）の凹凸表面を有する樹脂フィルム基材（Ａ）をスパッタリング装置に供給し、金属膜形成用ターゲットを用いて、スパッタリングにより樹脂フィルム基材（Ａ）の凹凸表面上に、チタン、タンタル、タングステン、バナジウム、モリブデン、コバルト、ニオブ、鉄、銅、亜鉛、アルミニウム、及び珪素からなる群より選ばれた１種類以上の元素を含有する金属膜（Ｂ）を形成し、次に、酸化物膜形成用ターゲットを用いて、酸素ガスを導入したスパッタリングガス雰囲気下、反応性スパッタリングにより、金属膜（Ｂ）上に、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜（Ｃ）を形成することを特徴とする。
【００４０】
本発明の耐熱遮光フィルムは、上記樹脂フィルム基材の表面に、スパッタリング法でチタン、タンタル、タングステン、バナジウム、モリブデン、コバルト、ニオブ、鉄、銅、亜鉛、アルミニウム、及び珪素からなる群より選ばれた１種類以上の元素を含有する金属膜が形成される。樹脂フィルム基材上に形成される金属膜が銅元素を含有する場合には、樹脂フィルム基材と金属膜との界面に、ポリイミドなどの樹脂フィルムとの密着性に優れた、ニッケルを主成分として、チタン、タンタル、タングステン、バナジウム、モリブデン、コバルト、ニオブ、鉄、銅、亜鉛、アルミニウム、及び珪素からなる群より選ばれた１種類以上の元素を含有するＮｉ系金属膜をスパッタリング法で形成することが好ましい。
前記金属膜上に、低反射性のチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜がスパッタリングで形成される。上記酸化物膜は、反射防止効果を発揮する膜厚に設定されるとより好ましい。すなわち耐熱遮光フィルムの表面に入射する可視光は、酸化物膜と空気との界面と、金属膜と酸化物膜の界面で反射するが、これらの反射光が大気に出たときに互いに干渉して打ち消しあうような位相差が生じるような酸化物膜の膜厚であると、著しく低反射性が実現するため好ましい。本発明では、前記金属膜および低反射性の前記酸化物膜がスパッタリング法で形成されるため、インクの塗布法や真空蒸着法と比べて膜の緻密性がよく、下地（基板や膜）との密着性が良好であるという特徴がある。
この性質は、耐熱遮光フィルムを２００℃の高熱環境下で使用したときに顕著である。インクの塗布法や真空蒸着法で形成したときは、膜剥がれや、膜の酸化による色味の変化が見られるが、本発明のようにスパッタリング法で膜を形成した場合はこのような恐れがない。
【００４１】
本発明において、耐熱遮光フィルムは、上述のようにスパッタリング法で樹脂フィルム基材上に遮光性の金属膜と低反射性の酸化物膜を少なくとも形成して製造される。スパッタリング法は、蒸気圧の低い材料の膜を基材上に形成する場合や精密な膜厚制御が必要となる時に有効な薄膜形成方法である。一般的に、アルゴンなどのスパッタリングガス圧（約１０Ｐａ以下）のもとで、基材を陽極とし、膜の原料となるスパッタリングターゲットを陰極として、この間にグロー放電を起こさせてアルゴンプラズマを発生させ、プラズマ中のアルゴン陽イオンを陰極のスパッタリングターゲットに衝突させてスパッタリングターゲット成分の粒子を弾き飛ばし、この粒子を基材上に堆積させて成膜する方法である。
【００４２】
上記、スパッタリング法は、アルゴンプラズマの発生方法で分けられ、高周波プラズマを用いるものは高周波（ＲＦ）スパッタリング法、直流プラズマを用いるものは直流（ＤＣ）スパッタリング法である。また、マグネトロンスパッタリング法は、スパッタリングターゲットの裏側に磁石を配置し、アルゴンプラズマをスパッタリングターゲット直上に集中させ、低ガス圧でもアルゴンイオンの衝突効率を上げて成膜する方法である。
【００４３】
金属膜と酸化物膜を成膜するには、例えば、図２に示した巻き取り式スパッタリング装置を用いることができる。この装置は、ロール状の樹脂フィルム基材１が巻き出しロール４にセットされ、ターボ分子ポンプ等の真空ポンプ５で真空槽６内を排気した後、巻き出しロール４から搬出されたフィルム１が途中、冷却キャンロール７の表面を通って、巻き取りロール８で巻き取られていく構成をとる。冷却キャンロール７の表面の対向側にはマグネトロンカソード９が設置され、このカソードには膜の原料となるターゲット１０が取り付けてある。なお、巻き出しロール４、冷却キャンロール７、巻き取りロール８などで構成されるフィルム搬送部は、隔壁１１でマグネトロンカソード８と隔離されている。
ターゲットとしては、金属膜形成用ターゲットと酸化物膜形成用ターゲットとを用いる。金属膜形成用ターゲットとは、チタン、タンタル、タングステン、バナジウム、モリブデン、コバルト、ニオブ、鉄、銅、亜鉛、アルミニウム、及び珪素からなる群より選ばれた１種類以上の元素を含有する金属製ターゲットである。また金属膜中に炭素および／または窒素を含ませるために、金属膜形成用の金属製ターゲットには炭素および／または窒素を含ませても構わず、上記金属の炭化物や窒化物の金属製ターゲットを用いても構わない。一方、酸化物膜形成用ターゲットとは、チタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する金属製ターゲット又は酸化物製ターゲットである。また酸化物膜中に炭素および／または窒素を含ませるために、酸化物形成用の金属製ターゲットもしくは酸化物ターゲットには炭素および／または窒素を含ませてもよく、上記金属の炭化物や窒化物の金属ターゲットを用いても構わない。
これら金属膜形成用ターゲットと酸化物膜形成用ターゲットとは、別のものでもよいが、同一のものであってもよい（この場合に、酸化物形成用ターゲットは、チタン、タンタル、タングステン、バナジウム、モリブデン、コバルト、二オブ、鉄、銅、亜鉛、アルミニウム、珪素からなる群より選ばれた１種類以上の元素を含有する金属製ターゲットとなる）。同一のものとすれば、スパッタリング用ターゲットを変更しない（装置セッティング上のターゲット交換をしない）ので、連続したスパッタリングが可能であり、製造コストが安くなり、更に耐熱性の樹脂フィルム基材を中心に対称型の膜構造を形成できることから、成膜時の膜応力による遮光フィルムの変形を生じることもない。
【００４４】
まず、ロール状の樹脂フィルム基材１を巻き出しロール４にセットし、ターボ分子ポンプ等の真空ポンプ５で真空槽６内を排気する。その後、巻き出しロール４から樹脂フィルム基材１を供給し、途中、冷却キャンロール７の表面を通って、巻き取りロール８で巻き取られていくようにしながら、冷却キャンロール７とカソード間で放電させて、冷却キャンロール表面に密着搬送されている樹脂フィルム基材１に成膜する。なお、樹脂フィルム基材は、スパッタリング前に２００℃以上の温度で加熱し、乾燥しておくことが望ましい。また、片面もしくは両面の表面粗さが０．２〜０．８μｍ（算術平均高さＲａ）の凹凸表面を有する樹脂フィルム基材（Ａ）をスパッタリング装置に供給し、ガスバリア膜形成用ターゲットを用いて、スパッタリングにより樹脂フィルム基材（Ａ）の凹凸表面上に、まずガスバリア膜（Ｄ）を形成しておくことが好ましい。
【００４５】
本発明の耐熱遮光フィルムにおいて、金属膜層は、例えばアルゴン雰囲気中において、チタン、タンタル、タングステン、バナジウム、モリブデン、コバルト、ニオブ、鉄、銅、亜鉛、アルミニウム、及び珪素からなる群より選ばれた１種類以上の元素を含有する金属又はそれらの合金のスパッタリングターゲットを使用した高周波（ＲＦ）または直流（ＤＣ）マグネトロンスパッタリング法により樹脂フィルム基材上に成膜形成される。
【００４６】
金属膜を成膜する時の成膜時のガス圧は、装置の種類などによっても異なるので一概に規定できないが、１．０Ｐａ以下、例えば、０．２〜１．０Ｐａにすることが好ましい。これにより、ショット材が樹脂フィルム基材上に微量残存していても、２００℃の高熱環境下でショット材、金属膜、低反射性の酸化物膜の熱膨張差によっても膜が剥がれなくなる。成膜時のガス圧が０．２Ｐａ未満であると、ガス圧が低いためスパッタリング法でのアルゴンプラズマが不安定となり、成膜した膜の膜質が悪くなる。また、成膜時のガス圧が１．０Ｐａを超えた場合では、金属膜の粒が粗くなり、高緻密な膜質でなくなるので樹脂フィルム基材との密着力が弱くなり、膜が剥がれてしまう。
さらに、成膜時の樹脂フィルム基材温度は、少なくとも１８０℃以上、特に１８０〜２２０℃とすることが望ましい。これにより２００℃以上の耐熱性を有するフィルムとの密着性の優れた、緻密な膜質の耐熱遮光フィルムが得られる。成膜時の樹脂フィルム基材温度が１８０℃未満では、２００℃以上での耐熱試験における金属膜と樹脂フィルムとの密着性が悪化するので好ましくない。ただし、このような耐熱性が要求されない場合には、金属膜を１８０℃未満で成膜できる。なお、金属膜の膜厚は、成膜時のフィルムの搬送速度とターゲットへの投入電力で制御される。
また、成膜中には樹脂フィルム基材はプラズマから自然加熱される。ガス圧とターゲットへの投入電力やフィルム搬送速度を調整することで、自然加熱によって成膜中の基板の温度を１８０℃以上に維持することは容易である。ガス圧は低いほど、投入電力は高いほど、フィルム搬送速度は遅いほどプラズマからの自然加熱による加熱温度は高くなる。成膜中の基材の温度は、放射温度計で測定することも可能であり、また予めフィルム表面にサーモラベルを貼り付けておいて、成膜後にラベルの色の変化を見て達した温度を知ることができる。金属膜に銅元素を含有する場合においては、樹脂フィルム基材と金属膜の界面にニッケルを主成分として、チタン、タンタル、タングステン、バナジウム、モリブデン、コバルト、ニオブ、鉄、銅、亜鉛、アルミニウム、及び珪素からなる群より選ばれた１種類以上の添加元素を含有するＮｉ系金属膜を密着強化膜として形成することが望ましい。Ｎｉ系金属膜は、Ｎｉ系金属膜形成用ターゲットを用いて、金属膜形成の場合と同じようにスパッタリング法で形成すればよい。これにより樹脂フィルム基材に銅系薄膜／密着強化膜の積層金属膜が形成される。
【００４７】
金属膜が成膜された後、この金属膜上にチタン、タンタル、タングステン、バナジウム、モリブデン、コバルト、ニオブ、鉄、銅、亜鉛、アルミニウム、珪素、スズ、インジウム、ガリウム及びセリウムからなる群より選ばれた１種類以上の元素を含有する酸化物膜を形成する。低反射性の酸化物層は、例えば、酸化物膜中の金属成分の金属ターゲットを用いて、アルゴン及び酸素ガス雰囲気中で高周波（ＲＦ）又は直流（ＤＣ）マグネトロンスパッタリング法により形成することができる。また、前記のとおり、酸化物膜の金属成分を含む酸化物ターゲットを用いて、アルゴンガス雰囲気もしくはアルゴンと酸素の混合ガス雰囲気を用いて高周波（ＲＦ）又は直流（ＤＣ）マグネトロンスパッタリング法により形成することができる。いずれのターゲットを用いる場合でも、アルゴンと酸素の混合ガス雰囲気、すなわち酸素ガスを導入したスパッタリングガス雰囲気下、反応性スパッタリングによることが好ましい。スパッタリングガス中の酸素ガスの含有量は特に制限されないが、例えば、不活性ガスに対して１〜１０％、好ましくは２〜６％混合することができる。
酸化物膜を成膜する時の成膜時のガス圧は、装置の種類などによっても異なるので一概に規定できないが、１．０Ｐａ以下、例えば、０．２〜１．０Ｐａにすることが好ましい。成膜時のガス圧が０．２Ｐａ未満であると、ガス圧が低いためスパッタリング法でのアルゴンプラズマが不安定となり、成膜した膜の膜質が悪くなる。また、成膜時のガス圧が１．０Ｐａを超えた場合では、酸化物膜の粒が粗くなり、高緻密な膜質でなくなるので金属膜との密着力が弱くなり、膜が剥がれてしまう。また、成膜時の樹脂フィルム基材温度は、少なくとも１８０℃以上、特に１８０〜２２０℃とすることが望ましい。これにより緻密な酸化物膜を有する耐熱遮光フィルムが得られる。樹脂フィルム基材温度が１８０℃未満では、緻密な酸化膜が形成できないので好ましくない。なお、酸化物膜の膜厚は、成膜時のフィルムの搬送速度とターゲットへの投入電力で制御される。
【００４８】
酸化物膜の成膜工程でも、前記金属膜のスパッタリングで使用したスパッタリング用ターゲットを変更することなく、全く同じターゲットを使用することができる。全く同じターゲットを使用するのであれば、装置セッティング上のターゲット交換をする必要が無く、連続したスパッタリングが可能であり、製造コストが安くなり、更に耐熱性の樹脂フィルム基材を中心に対称型の膜構造を形成できることから、成膜時の膜応力による遮光フィルムの変形を生じることもないので生産性に優れている。
これにより、基材フィルムの片面に金属膜と酸化物膜が形成された耐熱遮光フィルムを得ることができる。両面に、金属膜と酸化物膜が形成された耐熱遮光フィルムを得るには、さらに、上記スパッタリング装置に供給し、同様にして、スパッタリングによって樹脂フィルム基材の裏面に金属膜、及び酸化物膜を順次形成する。すなわち、樹脂フィルム基材（Ａ）の片面に前記金属膜（Ｂ）及び前記酸化物膜（Ｃ）が形成された耐熱遮光フィルムを、裏返した状態でスパッタリング装置に供給し、スパッタリングによって樹脂フィルム基材（Ａ）の表面に金属膜（Ｂ）及び酸化物膜（Ｃ）を順次形成する。
【００４９】
なお、金属膜と酸化物膜を成膜するのに、フィルム巻き取り式スパッタリング装置を例示し、連続的に成膜する方法について詳述したが、本発明は、これに限定されることはない。例えば、ロール状で無くシート状の樹脂フィルム基板を、ターゲットの対向面に静止固定或いは通過移動させて、金属膜と酸化物膜を成膜する方法でも作製可能である。これにより成膜中の樹脂フィルム基材が冷却されずに、成膜室内でフローティングの状態でスパッタリング成膜される。ただし、この場合は、雰囲気ガスの切り替え、フィルム搬入・停止という操作が加わり煩雑となる。
【００５０】
３．耐熱遮光フィルムの用途
本発明の耐熱遮光フィルムは、デジタルカメラの絞りやシャッター装置の羽根、デジタルビデオカメラの絞りや光量調整装置（オートアイリス）の絞り羽根や、液晶プロジェクタの絞りや光量調整装置の絞り羽根として用いることができる。特に、耐熱性が要求されるプロジェクタ用途の絞りや光量調整装置（オートアイリス）の絞り羽根材として有用である。
耐熱遮光フィルムを絞りや光量調整装置（オートアイリス）の絞り羽根材とするには、端面クラックが生じない打ち抜き加工をすればよい。
絞りには、予め絞り開口径を規定した孔を設けた１枚の耐熱遮光板とし、この耐熱遮光板を投影光路に出入り自在に設けた機構のものとして用いることができる。
また、光量調整装置（オートアイリス）の絞り羽根には、複数の絞り羽根として用い、それらの絞り羽根を可動させ、絞り開口径を可変して光量の調整が可能となる機構のものとして用いることができる。
図３は、打ち抜き加工を施した耐熱遮光羽根１２を搭載した光量調整装置の絞り機構を示す模式的な図である。耐熱遮光羽根１２には、ガイド孔１３、駆動モーターと係合するガイドピン１４と遮光羽根の稼働位置を制御するピン１５を設けた基板１６に取り付けるための孔１７を設けている。また、基板１６の中央にはランプ光が通過する開口部１８があるが、絞り装置の構造により遮光羽根は、さまざまな形状であってもよい。本発明の耐熱遮光フィルムは、樹脂フィルムを基材としているので、軽量化でき、遮光羽根を駆動する駆動部材の小型化と消費電力の低減が可能となる。
【実施例】
【００５１】
次に、本発明について、実施例、比較例を用いて具体的に説明する。なお、得られた耐熱遮光フィルムの評価は以下の方法で行った。
【００５２】
（光学濃度、反射率）
分光光度計を使用し、波長３８０ｎｍ〜７８０ｎｍの可視光域の遮光性と反射率を測定した。遮光性は、分光光度計で測定される透過率（Ｔ）を用いて次式により換算した。
光学濃度＝Ｌｏｇ（１／Ｔ）
シャッター装置や光量調整装置の絞り羽根では光学濃度は４以上、最大反射率は５％以下であることが必要である。
（表面光沢度）
表面光沢度は、光沢度計を用いてＪＩＳ  Ｚ８７４１に基づき測定した。表面光沢度は、３％未満であれば光沢性が良好である。
（摩擦係数）
静摩擦係数及び動摩擦係数は、ＪＩＳ  Ｄ１８９４に基づき測定した。静摩擦係数及び動摩擦係数が０．３以下の場合は良好（○）とし、０．３を超えるものは不十分（×）とした。
（表面粗さ）
得られた耐熱遮光フィルムの算術平均高さＲａを表面粗さ計で測定した。
（耐熱性）
得られた耐熱遮光フィルムの耐熱特性を以下の手順で評価した。２２０℃に加熱セットしたオーブン（アドバンテック社製）に、作製した耐熱遮光フィルムを２４時間放置した後、取り出した。評価は、反りや膜の変色が無い場合は良好（○）とし、反りもしくは膜の変色がある場合は不十分（×）とした。
（密着性）
耐熱試験後の膜の密着性をＪＩＳ  Ｃ００２１に基づき評価した。評価は膜剥がれがない場合は良好（○）とし、膜剥がれがあるものは不十分（×）とした。
（導電性）
得られた耐熱遮光フィルムの表面抵抗値をＪＩＳ  Ｋ６９１１に基づき測定した。
【００５３】
（実施例１）
図２に示した巻き取り式スパッタリング装置を用いて遮光性の金属膜と低反射性の酸化物膜の成膜を行った。まず、冷却キャンロール７の表面の対向側にマグネトロンカソード９が設置された装置のカソードに膜の原料となるターゲット１０を取り付けた。巻き出しロール４、冷却キャンロール７、巻き取りロール８などで構成されるフィルム搬送部は、隔壁１１でマグネトロンカソード８と隔離されている。次に、ロール状の樹脂フィルム基材１を巻き出しロール４にセットした。ポリイミド（ＰＩ）フィルムは、サンドブラストによる表面加工を行い、算術平均高さＲａが０．５μｍとして、得られたポリイミド（ＰＩ）フィルムをスパッタリング前に２００℃以上の温度で加熱し、乾燥した。
次に、ターボ分子ポンプ等の真空ポンプ５で真空槽６内を排気した後、冷却キャンロール７とカソード間で放電させて、樹脂フィルム基材１を冷却キャンロール表面に密着搬送しながら成膜を行った。
まず、Ｔｉターゲットをカソードに設置し、このカソードから直流スパッタリング法で金属膜を成膜した。金属膜はスパッタリングガスに純アルゴンガス（純度９９．９９９％）を用いて成膜を行った。成膜時のスパッタガス圧は、０．４〜１．０Ｐａにて実施した。成膜時のフィルムの搬送速度とターゲットへの投入電力を制御することで金属膜の膜厚を制御した。巻き出しロール４から搬出された樹脂フィルム基材１は、途中、冷却キャンロール７の表面を通って、巻き取りロール８で巻き取った。
次に、このＴｉターゲットをカソードに設置したまま、金属膜が形成された上記ロールをセットし、装置に供給し、このカソードから直流スパッタリング法で金属膜上に、低反射金属酸化物膜を成膜した。低反射性の酸化物膜はスパッタリングガスとして酸素ガスを２〜６％混合したアルゴンガスを用いて成膜を行った。成膜時のスパッタガス圧は、０．４〜１．０Ｐａにて実施した。このような成膜条件において透明基材上に３００ｎｍの厚みで形成した酸化チタン膜の可視域透過率は３５〜５５％と低くて、着色膜であることが確認された。この酸化チタン膜の酸素欠損の多い膜である。成膜時のフィルムの搬送速度とターゲットへの投入電力を制御することで酸化物膜の膜厚を制御した。巻き出しロール４から搬出されたフィルム１は、途中、冷却キャンロール７の表面を通って、巻き取りロール８で巻き取った。
スパッタリング時のフィルムの表面温度を赤外線放射温度計で、巻き取り式スパッタリング装置の石英ガラスののぞき窓から測定すると１８０〜２２０℃の温度であった。また、成膜前に予めフィルム表面に貼り付けてあったサーモラベル（アイビー技研製、型番：１０１−８−１７６）を用いて成膜中の最高加熱温度をチェックしても同様の結果であった。
得られた金属膜の組成は、ＩＣＰ発光分析およびＥＰＭＡ定量分析から、ターゲット組成とほぼ同じであることを確認した。また、低反射性の酸化物膜として、ターゲット金属の酸化物膜が得られていることを確認した。また金属膜、酸化物膜の膜厚は、断面ＴＥＭ観察から測定し、所定の膜厚になっていることを確認した。
こうして厚み７５μｍのポリイミド（ＰＩ）フィルムの両面に、膜厚１００ｎｍの金属膜と膜厚５０ｎｍの酸化物膜を順に、スパッタリング成膜して、耐熱遮光フィルムを作製した。このポリイミド（ＰＩ）フィルムの表面は、所定の吐出時間、吐出圧力、搬送速度でサンドブラスト加工してあり、両面とも算術平均高さがＲａ０．５μｍの微細な凹凸が形成されている。フィルムの片面ずつ両面にこのような成膜を実施して、ポリイミド（ＰＩ）フィルム基材を中心に対称構造の遮光フィルムを製造した。
次に、作製した耐熱遮光フィルムを前記の方法で評価した。この結果、光学濃度は４以上、最大反射率は１％以下であった。光沢度は、２％以下となり光沢性は良好であった。静摩擦係数及び動摩擦係数は、０．３以下となり、良好であった。また、表面抵抗値は、４００Ω／□であり、表面の算術平均高さは、０．４μｍであった。加熱後の耐熱遮光フィルムには、反りは発生せず、変色もなかった。また、膜剥がれはなく、良好であった。遮光性、反射特性、光沢度、摩擦係数も加熱前と変化なかった。また、ＪＩＳ  Ｋ５６００−５−４に基づいて引っかき硬度試験（鉛筆法）を行ったところ、Ｈ以上と硬度は十分であった。作製した耐熱遮光フィルムの構成、特性を表１にまとめた。
得られた耐熱遮光フィルムは、光学濃度、反射率、表面光沢度、耐熱性、摩擦係数、導電性のすべてについて良好であり、よって、このような耐熱遮光フィルムは、２００℃程度の高熱環境下で使用される液晶プロジェクタの絞りなどの部材として利用することができることがわかる。
【００５４】
（実施例２）
金属膜の膜厚のみを５０ｎｍに変えた以外は実施例１と全く同じ条件で耐熱遮光フィルムを作製した。
作製した耐熱遮光フィルムの評価（光学特性、耐熱性）を実施例１と同様の方法、条件で実施した。実施例１と同様の方法でスパッタリング時のフィルムの表面温度を測定すると１８０〜２２０℃の温度となり、実施例１と同等のフィルム温度であった。
その結果、光学濃度、反射率、光沢度などの特性は実施例１と同等のものが得られていた。また、表面抵抗値は、４００Ω／□であり、表面の算術平均高さＲａは、０．４μｍであることを確認した。また、２２０℃で２４時間加熱試験後の膜の密着性評価でも、反りや膜剥がれはなく、実施例１と同等の耐熱特性を有していることがわかった。作製した耐熱遮光フィルムの構成、特性を表１にまとめた。
よって、このような耐熱遮光フィルムは、２００℃程度の高熱環境下で使用される液晶プロジェクタの絞りなどの部材として利用することができる。
【００５５】
（実施例３）
金属膜の膜厚のみを１５０ｎｍに変えた以外は実施例１と全く同じ条件で耐熱遮光フィルムを作製した。
作製した耐熱遮光フィルムの評価（光学特性、耐熱性）を実施例１と同様の方法、条件で実施した。実施例１と同様の方法でスパッタリング時のフィルムの表面温度を測定すると１８０〜２２０℃の温度となり、実施例１と同等のフィルム温度であった。
その結果、光学濃度、反射率、光沢度などの特性は実施例１と同等のものが得られていた。また、表面抵抗値は、３００Ω／□であり、表面の算術平均高さＲａは、０．３μｍであることを確認した。また、２２０℃で２４時間加熱試験後の膜の密着性評価でも、反りや膜剥がれはなく、実施例１と同等の耐熱特性を有していることがわかった。作製した耐熱遮光フィルムの構成、特性を表１にまとめた。
よって、このような耐熱遮光フィルムは、２００℃程度の高熱環境下で使用される液晶プロジェクタの絞りなどの部材として利用することができる。
【００５６】
（実施例４）
ポリイミドフィルムのサンドブラストによる表面加工の条件のみを変えて遮光フィルムを作製した。すなわち、算術平均高さＲａが０．２μｍのポリイミドフィルムを使った以外は実施例１と全く同じ条件で、同じ膜構成の耐熱遮光フィルムを作製した。ただし、ポリイミドの種類、厚みは実施例１と同じである。
実施例１と同様の方法でスパッタリング時のフィルムの表面温度を測定すると１８０〜２２０℃の温度となり、実施例１と同等のフィルム温度であった。作製した耐熱遮光フィルムの評価（光学特性、耐熱性）を実施例１と同様の方法、条件で実施した。
その結果、光学濃度、反射率、光沢度などの特性は実施例１と同等のものが得られていた。また、表面抵抗値は、５００Ω／□で、表面の算術平均高さＲａは、０．１μｍであることを確認した。また、２２０℃で２４時間加熱試験後の膜の密着性評価でも、反りや膜剥がれはなく、実施例１と同等の耐熱特性を有していることがわかった。作製した耐熱遮光フィルムの構成、特性を表１にまとめた。
よって、このような耐熱遮光フィルムは、２００℃程度の高熱環境下で使用される液晶プロジェクタの絞りなどの部材として利用することができる。
【００５７】
（実施例５）
サンドブラストによる表面加工の条件を変えて作製した、算術平均高さＲａが０．８μｍのポリイミドフィルムを使った以外は実施例１と全く同じ条件で耐熱遮光フィルムを作製した。ただし、ポリイミドの種類、厚みは実施例１と同じである。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度、反射率、光沢度などの特性は実施例１と同等のものが得られていた。また、表面抵抗値は、５００Ω／□であり、表面の算術平均高さＲａは０．７μｍであることを確認した。また、２２０℃で２４時間加熱試験後の膜の密着性評価でも、反りや膜剥がれはなく、実施例１と同等の耐熱特性を有していることがわかった。作製した耐熱遮光フィルムの構成、特性を表１にまとめた。
よって、このような耐熱遮光フィルムは、２００℃程度の高熱環境下で使用される液晶プロジェクタの絞りなどの部材として利用することができる。
【００５８】
（実施例６）
フィルムの両面でなく片面にのみサンドブラスト処理を行って金属遮光膜と低反射金属酸化物膜を成膜した以外は実施例１と全く同じ条件で耐熱遮光フィルムを作製した。実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度、反射率（成膜面）、光沢度（成膜面）などの特性は実施例１と同等のものが得られていた。また、表面抵抗値（成膜面）は、５００Ω／□であり、表面の算術平均高さＲａは、０．４μｍであることを確認した。また、２２０℃で２４時間加熱試験後の膜の密着性評価を行ったが、膜剥がれはなく、実施例１と同等の耐熱特性を有していることがわかった。反りについては、加熱試験によって、若干生じており、５ｃｍ角に形状加工したサンプルを平坦な面に置いて、最大２ｍｍの反りが生じていた。これは片面にのみ成膜したことによって生じた膜応力による影響であるが、この程度の反りであれば、絞りとして利用する際、支持基材に複数箇所、接着固定することで使用することができる。作製した耐熱遮光フィルムの構成、特性を表１にまとめた。
よって、このような遮光フィルムは、２００℃程度の高熱環境下で使用される液晶プロジェクタの絞りなどの部材として利用することができる。
また、この耐熱遮光フィルムは、非成膜面側に粘着材を塗布しておけば、鏡筒などの低反射性・低光沢性が要求される光学部材の壁面に貼って、低反射・低光沢面を形成することができる。
【００５９】
（実施例７）
金属膜および低反射性の酸化物膜を作製する際に、Ｗターゲットを用いて、実施例１と同様の要領で、遮光性の金属タングステン膜と、低反射性の酸化タングステン膜を両面に成膜して耐熱遮光フィルムを試作した。金属膜の上に形成した酸化物膜を透明基材上に同じ条件で成膜すると、単膜の可視域透過率が膜厚３００ｎｍにおいて２８〜４５％と低く、酸素欠損の多い低透過率膜であることを確認した。フィルムの種類及びフィルムのマット処理条件は実施例１と同じである。膜厚については表１に示した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、４００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００６０】
（実施例８）
金属酸化物膜の膜厚を２０ｎｍに変えた以外は実施例７と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、４００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００６１】
（実施例９）
金属酸化物膜の膜厚を１４０ｎｍに変えた以外は実施例７と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、６００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００６２】
（実施例１０）
遮光性の金属膜および低反射性の酸化物膜を作製する際に、Ａｌターゲットを用いて、実施例１と同様の要領で、遮光性の金属アルミニウム膜と、低反射性の酸化アルミニウム膜を両面に成膜して耐熱遮光フィルムを作製した。金属膜の上に形成した酸化物膜を透明基材上に同じ条件で成膜すると、単膜の可視域透過率が膜厚３００ｎｍにおいて３６〜５８％と低く、酸素欠損の多い低透過率膜であることを確認した。フィルムの種類及びフィルムのマット処理条件は実施例１と同じである。また酸化アルミニウム膜の成膜には高周波スパッタリング法を用いた。膜厚については表１に示した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度４以上、波長３８０〜７８０ｎｍでの最大反射率２％、光沢度２％以下の遮光フィルムが得られていることがわかった。また、実施例１と同条件の場合は、表面抵抗値は、２×１０５Ω／□であり、表面の算術平均高さＲａは０．３μｍであることを確認した。また、２２０℃で２４時間の加熱試験後に膜の密着性を評価したが、反りや膜剥がれはなく、実施例１と同等の耐熱特性を有していることがわかった。
よって、このような耐熱遮光フィルムは、２００℃程度の高熱環境下で使用される液晶プロジェクタの絞りなどの部材として利用することができる。
【００６３】
（実施例１１）
金属酸化物膜の膜厚を２０ｎｍに変えた以外は実施例１０と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度４以上、波長３８０〜７８０ｎｍでの最大反射率２％、光沢度２％以下の遮光フィルムが得られていることがわかった。また、実施例１と同条件の場合は、表面抵抗値は、２×１０５Ω／□であり、表面の算術平均高さＲａは０．３μｍであることを確認した。また、２２０℃で２４時間の加熱試験後に膜の密着性を評価したが、反りや膜剥がれはなく、実施例１と同等の耐熱特性を有していることがわかった。
よって、このような耐熱遮光フィルムは、２００℃程度の高熱環境下で使用される液晶プロジェクタの絞りなどの部材として利用することができる。
【００６４】
（実施例１２）
金属酸化物膜の膜厚を１４０ｎｍに変えた以外は実施例１０と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度４以上、波長３８０〜７８０ｎｍでの最大反射率２％、光沢度２％以下の遮光フィルムが得られていることがわかった。また、実施例１と同条件の場合は、表面抵抗値は、５×１０５Ω／□であり、表面の算術平均高さＲａは０．３μｍであることを確認した。また、２２０℃で２４時間の加熱試験後に膜の密着性を評価したが、反りや膜剥がれはなく、実施例１と同等の耐熱特性を有していることがわかった。
よって、このような耐熱遮光フィルムは、２００℃程度の高熱環境下で使用される液晶プロジェクタの絞りなどの部材として利用することができる。
【００６５】
（実施例１３）
金属膜および低反射性の酸化物膜を作製する際に、Ｍｏターゲットを用いて、実施例１と同様の要領で、遮光性の金属モリブデン膜と、低反射性の酸化モリブデン膜を両面に成膜して耐熱遮光フィルムを試作した。金属膜の上に形成した酸化物膜を透明基材上に同じ条件で成膜すると、単膜の可視域透過率が膜厚３００ｎｍにおいて３３〜５５％と低く、酸素欠損の多い低透過率膜であることを確認した。フィルムの種類及びフィルムのマット処理条件は実施例１と同じである。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、２００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００６６】
（実施例１４）
金属酸化物膜の膜厚を２０ｎｍに変えた以外は実施例１３と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、２００Ω／□以下であり、表面の算術平均高さＲａは０．４μｍであることを確認した。なお、金属酸化物膜の膜厚を５ｎｍに変えた場合でも、同様な効果が得られることを確認している。
よって、このような耐熱遮光フィルムは、２００℃程度の高熱環境下で使用される液晶プロジェクタの絞りなどの部材として利用することができる。
【００６７】
（実施例１５）
金属酸化物膜の膜厚を１４０ｎｍに変えた以外は実施例１３と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、６００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００６８】
（実施例１６）
遮光性の金属膜および低反射性の酸化物膜を成膜する際に、Ｓｉターゲットを用いて、実施例１と同様の要領で、遮光性の金属シリコン膜と、低反射性の酸化シリコン膜を両面に成膜して耐熱遮光フィルムを作製した。金属膜の上に形成した酸化物膜を透明基材上に同じ条件で成膜すると、単膜の可視域透過率が膜厚３００ｎｍにおいて３１〜４５％と低く、酸素欠損の多い低透過率膜であることを確認した。フィルムの種類及びフィルムのマット処理条件は実施例１と同じである。また酸化シリコン膜の成膜には高周波スパッタリング法を用いた。膜厚については表１に示した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度４以上、波長３８０〜７８０ｎｍでの最大反射率１％、光沢度２％以下の遮光フィルムが得られていることがわかった。また、実施例１と同条件の場合は、表面抵抗値は、５×１０５Ω／□であり、表面の算術平均高さＲａは０．３μｍであることを確認した。また、２２０℃で２４時間の加熱試験後に膜の密着性を評価したが、反りや膜剥がれはなく、実施例１と同等の耐熱特性を有していることがわかった。
よって、このような耐熱遮光フィルムは、２００℃程度の高熱環境下で使用される液晶プロジェクタの絞りなどの部材として利用することができる。
【００６９】
（実施例１７）
金属酸化物膜の膜厚を１０ｎｍに変えた以外は実施例１６と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度４以上、波長３８０〜７８０ｎｍでの最大反射率７％、光沢度４２％以下の遮光フィルムが得られていることがわかった。また、実施例１と同条件の場合は、表面抵抗値は、１×１０５Ω／□であり、表面の算術平均高さＲａは０．３μｍであることを確認した。また、２２０℃で２４時間の加熱試験後に膜の密着性を評価したが、反りや膜剥がれはなく、実施例１と同等の耐熱特性を有していることがわかった。
よって、このような耐熱遮光フィルムは、２００℃程度の高熱環境下で使用される液晶プロジェクタの絞りなどの部材として利用することができる。
また、金属酸化物膜の膜厚を５ｎｍに変えても、同じ特性の耐熱遮光フィルムを得ることができた。
【００７０】
（実施例１８）
金属酸化物膜の膜厚を１４０ｎｍに変えた以外は実施例１６と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度４以上、波長３８０〜７８０ｎｍでの最大反射率１％、光沢度２％以下の遮光フィルムが得られていることがわかった。また、実施例１と同条件の場合は、表面抵抗値は、７×１０５Ω／□であり、表面の算術平均高さＲａは０．３μｍであることを確認した。また、２２０℃で２４時間の加熱試験後に膜の密着性を評価したが、反りや膜剥がれはなく、実施例１と同等の耐熱特性を有していることがわかった。
よって、このような耐熱遮光フィルムは、２００℃程度の高熱環境下で使用される液晶プロジェクタの絞りなどの部材として利用することができる。
【００７１】
（実施例１９）
金属膜および低反射性の酸化物膜を作製する際に、Ｃｏ−Ｍｏ系合金ターゲット（Ｃｏ／Ｍｏモル比＝５．０）を用いて、実施例１と同様の要領で、遮光性のＣｏ−Ｍｏ系合金膜と、低反射性のＣｏ−Ｍｏ−Ｏ系膜を両面に成膜して耐熱遮光フィルムを試作した。金属膜の上に形成した酸化物膜を透明基材上に同じ条件で成膜すると、単膜の可視域透過率が膜厚３００ｎｍにおいて３４〜４４％と低く、酸素欠損の多い低透過率膜であることを確認した。フィルムの種類及びフィルムのマット処理条件は実施例１と同じである。膜厚については表１に示した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率３％、光沢度３％以下の遮光フィルムが得られていることがわかった。また耐熱性についても同様に評価を行ったが、実施例１と全く同じ結果であった。また、表面抵抗値は、９０Ω／□以下であり、表面の算術平均高さＲａは０．３μｍであることを確認した。
よって、このような耐熱遮光フィルムは、２００℃程度の高熱環境下で使用される液晶プロジェクタの絞りなどの部材として利用することができる。
【００７２】
（実施例２０）
金属酸化物膜の膜厚を２０ｎｍに変えた以外は実施例１９と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率３％、光沢度３％以下の遮光フィルムが得られていることがわかった。また耐熱性についても同様に評価を行ったが、実施例１と全く同じ結果であった。また、表面抵抗値は、８０Ω／□以下であり、表面の算術平均高さＲａは０．３μｍであることを確認した。
よって、このような耐熱遮光フィルムは、２００℃程度の高熱環境下で使用される液晶プロジェクタの絞りなどの部材として利用することができる。
【００７３】
（実施例２１）
金属酸化物膜の膜厚を１４０ｎｍに変えた以外は実施例１９と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率３％、光沢度３％以下の遮光フィルムが得られていることがわかった。また耐熱性についても同様に評価を行ったが、実施例１と全く同じ結果であった。また、表面抵抗値は、３００Ω／□以下であり、表面の算術平均高さＲａは０．３μｍであることを確認した。
よって、このような耐熱遮光フィルムは、２００℃程度の高熱環境下で使用される液晶プロジェクタの絞りなどの部材として利用することができる。
【００７４】
（実施例２２）
金属膜および低反射性の酸化物膜を作製する際に、Ｍｏ−Ｎｂ系合金ターゲット（Ｍｏ／Ｎｂモル比＝４）を用いて、実施例１と同様の要領で、遮光性のＭｏ―Ｎｂ系合金膜と、低反射性のＭｏ―Ｎｂ−Ｏ系膜を両面に成膜して耐熱遮光フィルムを試作した。金属膜の上に形成した酸化物膜を透明基材上に同じ条件で成膜すると、単膜の可視域透過率が膜厚３００ｎｍにおいて３２〜４５％と低く、酸素欠損の多い低透過率膜であることを確認した。フィルムの種類及びフィルムのマット処理条件は実施例１と同じである。膜厚については表１に示した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率３％、光沢度３％以下の遮光フィルムが得られていることがわかった。また耐熱性についても同様に評価を行ったが、実施例１と全く同じ結果であった。また、表面抵抗値は、５００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００７５】
（実施例２３）
金属酸化物膜の膜厚を２０ｎｍに変えた以外は実施例２２と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率３％、光沢度３％以下の遮光フィルムが得られていることがわかった。また耐熱性についても同様に評価を行ったが、実施例１と全く同じ結果であった。また、表面抵抗値は、５００Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００７６】
（実施例２４）
金属酸化物膜の膜厚を１４０ｎｍに変えた以外は実施例２２と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率３％、光沢度３％以下の遮光フィルムが得られていることがわかった。また耐熱性についても同様に評価を行ったが、実施例１と全く同じ結果であった。また、表面抵抗値は、１×１０３Ω／□以下であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００７７】
（実施例２５）
金属膜および低反射性の酸化物膜を作製する際に、Ａｌ−Ｔｉ系合金ターゲット（Ａｌ／Ｔｉモル比＝３）を用いて、実施例１と同様の要領で、遮光性のＡｌ−Ｔｉ系合金膜と、低反射性のＡｌ−Ｔｉ−Ｏ系膜を両面に成膜して耐熱遮光フィルムを試作した。金属膜の上に形成した酸化物膜を透明基材上に同じ条件で成膜すると、単膜の可視域透過率が膜厚３００ｎｍにおいて３１〜５４％と低く、酸素欠損の多い低透過率膜であることを確認した。フィルムの種類及びフィルムのマット処理条件は実施例１と同じである。膜厚については表２に示した。
実施例１と同様の方法でスパッタリング時のフィルムの表面温度を測定すると１８０〜２２０℃の温度となり、実施例１と同等のフィルム温度であった。
その結果、得られた遮光フィルムを実施例１と同様の方法で評価すると、光学濃度４以上、波長３８０〜７８０ｎｍでの最大反射率２％、光沢度２％以下の遮光フィルムが得られていることがわかった。また耐熱性についても同様に評価を行ったが、実施例１と全く同じ結果であった。また、表面抵抗値は、２×１０３Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００７８】
（実施例２６）
金属酸化物膜の膜厚を２０ｎｍに変えた以外は実施例２５と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
その結果、得られた遮光フィルムを実施例１と同様の方法で評価すると、光学濃度４以上、波長３８０〜７８０ｎｍでの最大反射率２％、光沢度２％以下の遮光フィルムが得られていることがわかった。また耐熱性についても同様に評価を行ったが、実施例１と全く同じ結果であった。また、表面抵抗値は、１×１０３Ω／□であり、表面の算術平均高さＲａは０．４μｍであることを確認した。
また金属酸化物膜の膜厚を５ｎｍ、１０ｎｍに変えても同様の特性の耐熱遮光フィルムを得ることがわかった。
よって、このような耐熱遮光フィルムは、２００℃程度の高熱環境下で使用される液晶プロジェクタの絞りなどの部材として利用することができる。
【００７９】
（実施例２７）
金属酸化物膜の膜厚を１４０ｎｍに変えた以外は実施例２５と同様の要領で、耐熱遮光フィルムを試作した。
実施例１と同様の方法でスパッタリング時のフィルムの表面温度を測定すると１８０〜２２０℃の温度となり、実施例１と同等のフィルム温度であった。
その結果、得られた遮光フィルムを実施例１と同様の方法で評価すると、光学濃度４以上、波長３８０〜７８０ｎｍでの最大反射率２％、光沢度２％以下の遮光フィルムが得られていることがわかった。また耐熱性についても同様に評価を行ったが、実施例１と全く同じ結果であった。また、表面抵抗値は、６×１０３Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８０】
（実施例２８）
Ｔｉターゲットを用いて、金属膜と酸化物膜の成膜時のガス圧のみを１．２Ｐａとしたこと以外は実施例１と同様の条件、構成で耐熱遮光フィルムを作製した。金属膜の上に形成した酸化物膜を透明基材上に同じ条件で成膜すると、単膜の可視域透過率が膜厚３００ｎｍにおいて３３〜５６％と低く、酸素欠損の多い低透過率膜であることを確認した。
実施例１と同様の方法でスパッタリング時のフィルムの表面温度を測定すると１８０〜２００℃の温度であった。
作製した耐熱遮光フィルムの評価（光学特性、耐熱性）を実施例１と同様の方法、条件で実施した。その結果、光学濃度、反射率、光沢度などの特性は実施例１と同等のものが得られていた。また、表面抵抗値は、４００Ω／□であり、表面の算術平均高さＲａは、０．３μｍであったが、耐熱試験後の密着試験では膜がわずかに剥がれた。
よって、このような耐熱遮光フィルムは、高熱環境下では使用しない多くの光学系用途に利用できるものの、２００℃程度の高熱環境下で使用される液晶プロジェクタの絞りなどの部材としては不適であることがわかった。
この傾向は、金属膜と酸化物膜の成膜時のガス圧を０．２、０．５Ｐａ、０．７Ｐａ、又は１．０Ｐａにしても同じであり、同等の特性の耐熱遮光フィルムを得ることができた。
【００８１】
（実施例２９）
樹脂フィルム基材を厚みが１２．５μｍのポリイミドフィルムに変えた以外は実施例２５と同様の要領で、耐熱遮光フィルムを試作した。ポリイミドフィルムの表面粗さは実施例２５と同じである。
実施例１と同様の方法でスパッタリング時のフィルムの表面温度を測定すると１８０〜２２０℃の温度となり、実施例１と同等のフィルム温度であった。
その結果、得られた遮光フィルムを実施例１と同様の方法で評価すると、光学濃度４以上、波長３８０〜７８０ｎｍでの最大反射率２％、光沢度２％以下の遮光フィルムが得られていることがわかった。また耐熱性についても同様に評価を行ったが、実施例１と全く同じ結果であった。また、表面抵抗値は、２×１０３Ω／□であり、表面の算術平均高さＲａは０．４μｍであることを確認した。
またポリイミドフィルムの厚みのみを、２５μｍ、３８μｍに変えても、同等の特性の耐熱遮光フィルムを得ることがわかった。
よって、このような耐熱遮光フィルムは、２００℃程度の高熱環境下で使用される液晶プロジェクタの絞りなどの部材として利用することができる。
【００８２】
（実施例３０）
酸化物膜の成膜時のスパッタガス中への酸素導入量を１５〜２０％と多くして透過率の高い酸化チタン膜を用い以外は実施例１と同様の条件、構成で耐熱遮光フィルムを作製した。チタン金属膜の上に形成した酸化物膜を、透明基材上に同じ条件で成膜すると、単膜の可視域透過率が膜厚３００ｎｍにおいて８４〜９３％と高く、酸素欠損の少ない高透過率膜であることを確認した。
実施例１と同様の方法でスパッタリング時のフィルムの表面温度を測定すると１８０〜２２０℃の温度であった。
実施例１と同等の方法、条件で評価した結果、光学濃度は４以上、可視域の最大反射率は７％、光沢度は３２％以下であった。また、耐熱性などの諸特性は実施例１と同等のものが得られていた。また、表面抵抗値は１×１０３Ω／□と高抵抗であるが導電性を示し、表面の算術平均高さＲａは、０．４μｍであることを確認した。
この耐熱遮光フィルムに対してランプ照射試験を実施した。反射鏡付の２００Ｗの超高圧水銀ランプ（ＵＨＥランプ）から２０ｃｍ離れた位置に、光源に面して５ｃｍφの耐熱遮光フィルムを配置し、１時間光照射した時の温度上昇を、放射温度計で測定したところ、実施例３０の耐熱遮光フィルムは８７℃まで加熱されていた。
同様の照射試験を実施例１〜３の耐熱遮光フィルムに対して行うと１９０〜２００℃であり、実施例３０の方が光照射による温度上昇が少ないことがわかった。これは、耐熱遮光フィルムの表面を覆っている酸化物膜での熱線吸収が少なく、金属膜での熱線光が効果的に反射したことにより、温度上昇を抑えているからである。
よって、このような耐熱遮光フィルムは、２００℃程度の高熱環境下で使用される液晶プロジェクタの絞りなどの部材として利用することができ、特にランプ光源の側に配置される遮光部材として特に有効に利用することができる。
【００８３】
（実施例３１）
金属膜を作製する際にＴａターゲットを用いて、低反射性の酸化物膜を作製する際にＦｅ系ターゲットを用いて、実施例１と同様の要領で、遮光性のタンタル膜と低反射性の酸化鉄を両面に成膜して耐熱遮光フィルムを試作した。金属膜の上に形成した酸化物膜を透明基材上に同じ条件で成膜すると、単膜の可視域透過率が膜厚３００ｎｍにおいて３３〜４８％と低く、酸素欠損の多い低透過率膜であることを確認した。フィルムの種類及びフィルムのマット処理条件は実施例１と同じである。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、４０Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８４】
（実施例３２）
金属酸化物膜の膜厚を２０ｎｍに変えた以外は実施例３１と同様の要領で、耐熱遮光フィルムを試作した。実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、４０Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８５】
（実施例３３）
金属酸化物膜の膜厚を１４０ｎｍに変えた以外は実施例３１と同様の要領で、耐熱遮光フィルムを試作した。実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、１００Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８６】
（実施例３４）
金属膜を作製する際にＦｅ系ターゲットを用いて、低反射性の酸化物膜を作製する際に３％Ｇａ添加ＺｎＯターゲットを用いて、実施例１と同様の要領で、遮光性のＦｅ系膜と低反射性のガリウム添加酸化亜鉛膜を両面に成膜して耐熱遮光フィルムを試作した。金属膜の上に形成した酸化物膜を透明基材上に同じ条件で成膜すると、単膜の可視域透過率が膜厚３００ｎｍにおいて４６〜５５％と低く、酸素欠損の多い低透過率膜であることを確認した。フィルムの種類及びフィルムのマット処理条件は実施例１と同じである。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、１０Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８７】
（実施例３５）
金属酸化物膜の膜厚を２０ｎｍに変えた以外は実施例３４と同様の要領で、耐熱遮光フィルムを試作した。実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、５Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８８】
（実施例３６）
金属酸化物膜の膜厚を２４０ｎｍに変えた以外は実施例３４と同様の要領で、耐熱遮光フィルムを試作した。実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、３Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００８９】
（実施例３７）
金属膜を作製する際にＶターゲットを用いて、低反射性の酸化物膜を作製する際にＳｉＣターゲットを用いて、実施例１と同様の要領で、遮光性のバナジウム膜と低反射性の酸化炭化シリコン膜（Ｓｉ−Ｃ−Ｏ膜）を両面に成膜して耐熱遮光フィルムを試作した。酸化炭化シリコン膜は高周波スパッタ法で成膜を行ったが、酸素ガスをスパッタリングガスに導入した反応性スパッタリングにより作製した。金属膜の上に形成した酸化物膜を透明基材上に同じ条件で成膜すると、単膜の可視域透過率が膜厚３００ｎｍにおいて４４〜５２％と低く、酸素欠損の多い低透過率膜であることを確認した。フィルムの種類及びフィルムのマット処理条件は実施例１と同じである。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、６×１０５Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００９０】
（実施例３８）
遮光性の金属膜と低反射性の酸化物膜を作製する際に炭化チタンターゲットを用いて、実施例１と同様の要領で、膜厚１５０ｎｍの遮光性の炭化チタン膜（Ｔｉ―Ｃ）と、膜厚５５ｎｍの低反射性の炭素を含む酸化チタン膜（酸化炭化チタン膜、Ｔｉ−Ｃ−Ｏ膜）を両面に成膜して耐熱遮光フィルムを試作した。炭化チタン膜は直流スパッタリング法で成膜したが、酸化炭化チタン膜は高周波スパッタ法で酸素ガスをスパッタリングガスに導入した反応性スパッタリングにより作製した。金属膜の上に形成した酸化物膜を透明基材上に同じ条件で成膜すると、単膜の可視域透過率が膜厚３００ｎｍにおいて４３〜５１％と低く、酸素欠損の多い低透過率膜であることを確認した。フィルムの厚みは１２５μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、炭化チタン膜、酸化炭化チタン膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率４％、光沢度３％以下の遮光フィルムが得られていることがわかった。また耐熱性についても同様に評価を行ったが、実施例１と全く同じ結果であった。また、表面抵抗値は、７×１０４Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００９１】
（実施例３９）
遮光性の金属膜と低反射性の酸化物膜を作製する際に窒化チタンターゲットを用いて、実施例１と同様の要領で、膜厚５０ｎｍの遮光性の窒化チタン膜（Ｔｉ―Ｎ）と、膜厚８０ｎｍの低反射性の窒素を含む酸化チタン膜（酸化窒化チタン膜、Ｔｉ−Ｎ−Ｏ膜）を両面に成膜して耐熱遮光フィルムを試作した。窒化チタン膜は直流スパッタリング法で成膜したが、酸化窒化チタン膜は高周波スパッタ法で酸素ガスをスパッタリングガスに導入した反応性スパッタリングにより作製した。金属膜の上に形成した酸化物膜を透明基材上に同じ条件で成膜すると、単膜の可視域透過率が膜厚３００ｎｍにおいて４４〜５５％と低く、酸素欠損の多い低透過率膜であることを確認した。フィルムの厚みは５０μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、窒化チタン膜、酸化窒化チタン膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、４×１０３Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００９２】
（実施例４０）
遮光性の金属膜を作製する際にＴｉターゲットを用いて、低反射性の酸化物膜を作製する際にＩＴＯターゲット（１０ｗｔ％酸化スズ添加酸化インジウムターゲット）を用いて、実施例１と同様の要領で、膜厚１００ｎｍの遮光性のチタン膜と、膜厚５５ｎｍの低反射性のＩＴＯ膜を両面に成膜して耐熱遮光フィルムを試作した。チタン膜およびＩＴＯ膜は直流スパッタ法で成膜し、チタン膜はスパッタガスとしてアルゴンのみを用い、ＩＴＯ膜はスパッタガスとしてアルゴンと酸素の混合ガスを用いた。金属膜の上に形成した酸化物膜を透明基材上に同じ条件で成膜すると、単膜の可視域透過率が膜厚３００ｎｍにおいて５１〜５７％と低く、酸素欠損の多い低透過率膜であることを確認した。フィルムの厚みは７５μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、チタン膜、ＩＴＯ膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、２Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００９３】
（実施例４１）
遮光性の金属膜を作製する際にＴｉターゲットを用いて、低反射性の酸化物膜を作製する際に酸化スズターゲットを用いて、実施例１と同様の要領で、膜厚１００ｎｍの遮光性のチタン膜と、膜厚５５ｎｍの低反射性の酸化スズ膜を両面に成膜して耐熱遮光フィルムを試作した。チタン膜および酸化スズ膜は直流スパッタ法で成膜し、チタン膜はスパッタガスとしてアルゴンのみを用い、ＩＴＯ膜はスパッタガスとしてアルゴンと酸素の混合ガスを用いた。金属膜の上に形成した酸化物膜を透明基材上に同じ条件で成膜すると、単膜の可視域透過率が膜厚３００ｎｍにおいて５１〜５６％と低く、酸素欠損の多い低透過率膜であることを確認した。フィルムの厚みは７５μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、チタン膜、酸化スズ膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、１５Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
また、波長１０００〜１５００ｎｍにおいて５．３％以上であり、近赤外光の反射が強い特徴を有する。よって、プロジェクタのランプ光を照射したときに近赤外光を効率よく反射するため、著しい加熱を抑制することができる。
【００９４】
（実施例４２）
遮光性の金属膜を作製する際にＴｉターゲットを用いて、低反射性の酸化物膜を作製する際に酸化ガリウムターゲットを用いて、実施例１と同様の要領で、膜厚１００ｎｍの遮光性のチタン膜と、膜厚５５ｎｍの低反射性の酸化ガリウム膜を両面に成膜して耐熱遮光フィルムを試作した。チタン膜は直流スパッタ法で成膜し、酸化ガリウム膜は高周波スパッタリングで成膜した。チタン膜はスパッタガスとしてアルゴンのみを用い、酸化ガリウム膜はスパッタガスとしてアルゴンと酸素の混合ガスを用いた。金属膜の上に形成した酸化物膜を透明基材上に同じ条件で成膜すると、単膜の可視域透過率が膜厚３００ｎｍにおいて４８〜５７％と低く、酸素欠損の多い低透過率膜であることを確認した。フィルムの厚みは７５μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、チタン膜、酸化ガリウム膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率５％、光沢度３％以下の遮光フィルムが得られていることがわかった。また耐熱性についても同様に評価を行ったが、実施例１と全く同じ結果であった。また、表面抵抗値は、７９Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
また、波長１０００〜１５００ｎｍにおいて６％以上であり、近赤外光の反射が強い特徴を有する。よって、プロジェクタのランプ光を照射したときに近赤外光を効率よく反射するため、著しい加熱を抑制することができる。
【００９５】
（実施例４３）
遮光性の金属膜と低反射性の酸化物膜を作製する際に炭化珪素ターゲットを用いて、実施例１と同様の要領で、膜厚１００ｎｍの遮光性の炭化珪素膜（Ｓｉ―Ｃ膜）と、膜厚５５ｎｍの低反射性の酸化炭化珪素膜（Ｓｉ−Ｃ−Ｏ膜）を両面に成膜して耐熱遮光フィルムを試作した。Ｓｉ―Ｃ膜、Ｓｉ―Ｃ―Ｏ膜は、何れも高周波スパッタ法で成膜した。ＳｉＣ膜はスパッタガスとしてアルゴンのみを用いて、金属光沢のある遮光性金属膜を形成した。また、Ｓｉ−Ｃ−Ｏ膜はスパッタガスとしてアルゴンと酸素の混合ガスを用いて、金属光沢が無く、光透過性のある低反射性の薄膜を作製した。金属膜の上に形成した酸化物膜を透明基材上に同じ条件で成膜すると、単膜の可視域透過率が膜厚３００ｎｍにおいて４５〜５５％と低く、酸素欠損の多い低透過率膜であることを確認した。フィルムの厚みは７５μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、炭化珪素膜、酸化炭化珪素膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率１．５％、光沢度２％以下の遮光フィルムが得られていることがわかった。また耐熱性についても同様に評価を行ったが、実施例１と全く同じ結果であった。また、表面抵抗値は、５×１０５Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００９６】
（実施例４４）
遮光性の金属膜を作製する際にＴｉターゲットを用いて、低反射性の酸化物膜を作製する際に酸化セリウムターゲットを用いて、実施例１と同様の要領で、膜厚１００ｎｍの遮光性のチタン膜と、膜厚５５ｎｍの低反射性の酸化セリウム膜を両面に成膜して耐熱遮光フィルムを試作した。チタン膜は直流スパッタ法で成膜し、酸化セリウム膜は高周波スパッタ法で成膜した。チタン膜はスパッタガスとしてアルゴンのみを用い、酸化セリウム膜はスパッタガスとしてアルゴンと酸素の混合ガスを用いた。金属膜の上に形成した酸化物膜を透明基材上に同じ条件で成膜すると、単膜の可視域透過率が膜厚３００ｎｍにおいて７５〜８３％と高く、酸素欠損の少ない高透過率膜であることを確認した。フィルムの厚みは７５μｍのものを用いたが、フィルムの種類及びフィルムのマット処理条件は実施例１と同じである。
耐熱遮光フィルムの各膜の組成は、断面破片に加工した断面ＴＥＭ観察を行いながら、ＥＰＭＡとＥＤＸで定量分析を行い、チタン膜、酸化セリウム膜が得られていることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率７％、光沢度３３％以下の遮光フィルムが得られていることがわかった。また耐熱性についても同様に評価を行ったが、実施例１と全く同じ結果であった。また、表面抵抗値は、２Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
また、波長１０００〜１５００ｎｍにおいて５．２％以上であり、近赤外光の反射が強い特徴を有する。よって、プロジェクタのランプ光を照射したときに近赤外光を効率よく反射するため、著しい加熱を抑制することができる。
この耐熱遮光フィルムに対してランプ照射試験を実施した。反射鏡付の２００Ｗの超高圧水銀ランプ（ＵＨＥランプ）から２０ｃｍ離れた位置に、光源に面して５ｃｍφの耐熱遮光フィルムを配置し、１時間光照射した時の温度上昇を、放射温度計で測定したところ、実施例４４の耐熱遮光フィルムは８７℃まで加熱されていた。
同様の照射試験を実施例１〜３の耐熱遮光フィルムに対して行うと１９０〜２００℃であり、実施例４４の方が光照射による温度上昇が少ないことがわかった。これは、耐熱遮光フィルムの表面を覆っている酸化物膜での熱線吸収が少なく、金属膜での熱線光が効果的に反射したことにより、温度上昇を抑えているからである。
よって、このような耐熱遮光フィルムは、２００℃程度の高熱環境下で使用される液晶プロジェクタの絞りなどの部材として利用することができ、特にランプ光源の側に配置される遮光部材として特に有効に利用することができる。
【００９７】
（実施例４５）
厚み、種類、表面粗さが実施例１と同じであるポリイミドフィルムを用い、遮光性の金属膜には、ニッケル系膜／銅膜の積層膜を用い、低反射性の酸化物膜には酸化銅膜を用いて耐熱遮光フィルムを試作した。なお、ニッケル系膜はポリイミドフィルムと銅膜との密着強化膜であり、ポリイミドフィルム側に用いた。ニッケル系膜／銅膜の積層膜作製には、２ｗｔ％Ｔｉを含有するＮｉターゲットとＣｕターゲットを用いて、低反射性の酸化銅膜を作製する際には酸化銅ターゲットを用いて、実施例と同様にスパッタリング法で成膜した。まず、ポリイミドフィルム表面にスパッタリング法で膜厚２ｎｍのニッケル系膜を形成した。その後は、実施例１と同様の要領で、ニッケル系膜上に膜厚２５０ｎｍの銅膜と、膜厚５０ｎｍの低反射性の酸化銅膜を、両面に成膜して耐熱遮光フィルムを試作した。耐熱遮光フィルムの各膜の組成は、断面破片に加工した断面ＴＥＭ観察を行いながら、ＥＰＭＡとＥＤＸで定量分析を行い、チタンが２ｗｔ％含有されたニッケル膜、銅膜、酸化銅膜が得られていることを確認した。金属膜の上に形成した酸化物膜を透明基材上に同じ条件で成膜すると、単膜の可視域透過率が膜厚３００ｎｍにおいて４５〜５３％と低く、遷移金属酸化物の低透過率膜であることを確認した。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率２％、光沢度３％以下の遮光フィルムが得られていることがわかった。また耐熱性についても同様に評価を行ったが、実施例１と全く同じ結果であった。また、表面抵抗値は、１０Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
【００９８】
（実施例４６）
Ｎｉ系の密着強化膜を挿入せずに直接ポリイミドフィルム上に銅膜を積層した以外は実施例４５と同等の方法で耐熱遮光フィルムを作製した。実施例１と同様の方法でスパッタリング時のフィルムの表面温度を測定すると１４０〜１６０℃の温度であった。
作製した耐熱遮光フィルムの評価（光学特性、耐熱性）を実施例１と同様の方法、条件で実施した。その結果、光学濃度は４以上、反射率は最大で２％、光沢度は３％以下を示した。また、表面抵抗値は、１０Ω／□であり、表面の算術平均高さＲａは、０．４μｍであることを確認した。１８０℃で２４時間加熱試験後の膜の密着性評価では、良好であり、１８０℃以下の環境下では利用できることがわかった。しかし、２２０℃で２４時間加熱試験後の膜の密着性評価では、膜はがれが起きて膜の密着性は非常に悪い結果であり、２２０℃以上の環境下での利用は実施例４５のように密着強化膜の挿入が有用である。
【００９９】
（比較例１）
ポリイミドフィルムのサンドブラストによる表面加工の条件を変えて遮光フィルムを作製した。すなわち、算術平均高さＲａが０．１μｍのポリイミドフィルムを使った以外は実施例１と全く同じ条件で、同じ膜構成の耐熱遮光フィルムを作製した。ただし、ポリイミドの種類、厚みは実施例１と同じである。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、光学濃度は実施例１と同じ４以上のものが得られたが、波長３８０〜７８０ｎｍにおける光反射率は最大で１０％、光沢度は５５％を示し、実施例１と比べて反射率と光沢度の大きい耐熱遮光フィルムであった。また、表面抵抗値は、５００Ω／□であり、表面の算術平均高さＲａは、０．１μｍ未満であることを確認した。２２０℃で２４時間加熱試験後の膜の密着性評価では、反りや膜剥がれはなかった。作製した耐熱遮光フィルムの構成、特性を表３にまとめた。
このような反射率や光沢度の値の大きい耐熱遮光フィルムを、シャッター羽根などに用いようとしても表面反射の影響を受けるため利用は困難である。
【０１００】
（比較例２）
サンドブラストによる表面加工の条件を変えて作製した算術平均高さＲａが１．０μｍのポリイミドフィルムを使った以外は実施例１と全く同じ条件で同じ膜構成の耐熱遮光フィルムを作製した。ただし、ポリイミドの種類、厚みは実施例１と同じである。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、反射率は１％以下で光沢度は２％以下であり、実施例２と同じものが得られたが、光学濃度は２を示し、実施例１と比べて光学濃度の少ない耐熱遮光フィルムであった。また、表面抵抗値は、５００Ω／□であり、表面の算術平均高さＲａは、０．９μｍであることを確認した。２２０℃で２４時間加熱試験後の膜の密着性評価では、反りや膜剥がれはなかった。作製した耐熱遮光フィルムの構成、特性を表３にまとめた。
よって、このような光学濃度の低い耐熱遮光フィルムは、実施例と比べてかなり光を通すため、液晶プロジェクタの絞りの部材だけでなく多くの光学系遮光用途に利用できない。
【０１０１】
（比較例３）
Ｔｉターゲットを用いて、樹脂フィルムとしてＰＥＴフィルムをマット処理を行わずに使用した以外は実施例１と同様の条件、構成で遮光フィルムを作製した。実施例１と同様の方法でスパッタリング時のフィルムの表面温度を測定すると１８０〜２２０℃の温度となり、実施例１と同等のフィルム温度であった。
得られた遮光フィルムは、光学濃度は３、反射率は最大で１５％、光沢度は９０％となり、また、表面抵抗値は、４００Ω／□であり、表面の算術平均高さＲａは、０．５μｍであることを確認した。
しかし、表面のうねり、しわが発生していた。これは成膜中のフィルム基材の表面が軟化点以上に高温となって変形したからである。よって、２００℃程度の高熱環境下で使用される液晶用プロジェクタの絞りなどの羽根部材としては不適であることがわかった。
また、樹脂フィルムとしてＰＥＮフィルムやＰＣフィルムを使用した場合も同様な結果であった。
【０１０２】
（比較例４）
成膜時のフィルム基材温度が１８０℃未満となるよう、成膜中のフィルム基材を冷却するキャンロールの冷却温度を５０℃とし、ターゲットへの投入電力を実施例１の５０％とした以外は実施例１と同等の方法、構造で耐熱遮光フィルムを作製した。実施例１と同様の方法でスパッタリング時のフィルムの表面温度を測定すると１４０〜１６０℃の温度であった。
作製した耐熱遮光フィルムの評価（光学特性、耐熱性）を実施例１と同様の方法、条件で実施した。その結果、光学濃度は４以上、反射率は最大で１％、光沢度は２％以下を示した。また、表面抵抗値は、４５０Ω／□であり、表面の算術平均高さＲａは、０．５μｍであることを確認した。
また、２２０℃で２４時間加熱試験後の膜の密着性評価では、反りやウネリが大きく、また膜の密着性は非常に悪い結果であった。作製した耐熱遮光フィルムの構成、特性を表３にまとめた。
よって、このような高温時の膜の密着性の悪い耐熱遮光フィルムは、耐熱性が要求される液晶プロジェクタの絞りの部材に利用できない。
【０１０３】
（比較例５）
金属膜の膜厚を３０ｎｍに変えた以外は実施例１と全く同じ条件で耐熱遮光フィルムを試作した。
実施例１と同様の方法でスパッタリング時のフィルムの表面温度を測定すると１８０〜２２０℃の温度となり、実施例１と同等のフィルム温度であった。
作製した耐熱遮光フィルムの評価（光学特性、耐熱性）を実施例１と同様の方法、条件で実施した。その結果、反射率、光沢度などの特性は実施例１と同等のものが得られていた。しかし、光学濃度は２であり僅かに光を透過することを確認した。また、表面抵抗値は、４００Ω／□であり、表面の算術平均高さＲａは０．４μｍであることを確認した。２２０℃で２４時間加熱試験後の膜の密着性評価でも、反りや膜剥がれはなく、実施例１と同等の耐熱特性を有していることがわかった。作製した耐熱遮光フィルムの構成、特性を表３にまとめた。なお、金属膜の膜厚を４０ｎｍに変えた場合でも、同様な効果が得られることを確認している。
よって、このような光学濃度の低い耐熱遮光フィルムは、僅かに光を通すため、液晶プロジェクタの絞りの部材としては利用することができない。
【０１０４】
（比較例６）
酸化物膜を形成せずに金属膜のみを形成した以外は実施例１と同様の方法で耐熱遮光フィルムを作製した。実施例１と同様に金属膜のスパッタリング時、フィルムの表面温度を赤外線放射温度計で巻き取り式スパッタリング装置の石英ガラスののぞき窓から測定すると１８０〜２２０℃の温度であった。
得られた耐熱遮光フィルムは、表面の算術平均高さＲａは、０．４μｍであり、光学濃度は４以上であり、表面抵抗値は１００Ω／□であり、十分な遮光性と導電性を有していた。しかし、最大反射率は１２％、光沢度は１６％と高かった。これは、表面が高反射性の金属膜であるからである。反射率が高いため、レンズユニットの光学部材として利用すると反射光が迷光となり好ましくない。
また、ＪＩＳ  Ｋ５６００−５−４に基づいて引っかき硬度試験（鉛筆法）を行ったところ、ＨＢレベルであった。上述の全て実施例がＨ以上であったことから、実施例と比べて硬度は劣ることが分かった。比較例６では表面が金属膜であるが実施例では硬度のある酸化物膜であるからである。よって、光量調整装置やシャッターの羽根材として用いると、羽根材同士が擦れて膜に傷が入り、次第に遮光性が悪化する要因となる。
また、２２０℃で２４時間加熱試験後の膜の密着性評価では、顕著に膜剥離が観察された。これは金属膜が酸化されたためである。膜剥離が生じた後の光学濃度は３であり、摩擦係数は不良であった。
このような耐熱遮光フィルムは、常温で使用する遮光部材としても利用できず、２００℃程度の高熱環境下で使用される液晶用プロジェクタの絞りなどの羽根部材としても、当然ながら不適である。
【０１０５】
（実施例４７）
厚み、種類、表面粗さが実施例１と同じであるポリイミドフィルムを用い、ガスバリア膜として膜厚２０ｎｍの酸化チタン膜を形成し、その上に遮光性の金属膜として、膜厚１２０ｎｍのチタン膜を形成し、さらに低反射性の酸化物膜には酸化チタン膜を用いて耐熱遮光フィルムを試作した。これらの膜は全てＴｉターゲットを用いて、ガスバリア膜と最表面の酸化チタン膜は、スパッタガス中に酸素を導入した反応性スパッタ法で成膜を行い、遮光性のチタン金属膜はアルゴンのみのスパッタガス中でスパッタ成膜を行った。金属膜の上に形成した酸化物膜を透明基材上に同じ条件で成膜すると、単膜の可視域透過率が膜厚３００ｎｍにおいて４５〜５３％と低く、遷移金属酸化物の低透過率膜であることを確認した。耐熱遮光フィルムの各膜の組成は、断面破片に加工した断面ＴＥＭ観察を行いながら、ＥＰＭＡとＥＤＸで定量分析を行い、ガスバリア膜と最表面の酸化膜はＯ／Ｔｉ原子数比が１．２〜１．７、遮光性の金属膜は酸素が含まれないチタン膜となっていることがわかった。
実施例１と同様の方法でスパッタリング時のフィルムの表面温度を測定すると１８０〜２２０℃の温度となり、実施例１と同等のフィルム温度であった。
得られた遮光フィルムを実施例１と同様の方法で評価すると、光学濃度４以上、波長３８０〜７８０ｎｍでの最大反射率２％、最小反射率１．５％、光沢度３％以下の遮光フィルムが得られていることがわかった。また耐熱性についても同様に評価を行ったが、実施例１と全く同じ結果であった。また、表面抵抗値は、１０Ω／□であり、表面の算術平均高さＲａは０．４μｍであることを確認した。
また、この耐熱遮光フィルムを、８５℃、９０％ＲＨで１０００時間の恒温恒湿試験を行ったが、色味の変化はなかった。波長３８０〜７８０ｎｍでの分光測定を行うと、最大反射率、最小反射率はともに変化していなかった。
よって、このような耐熱遮光フィルムは、２００℃程度の高熱環境下で使用される液晶プロジェクタの絞りなどの部材として利用することができる。
また、この耐熱遮光フィルムを、８５℃、９０％ＲＨで１０００時間の恒温恒湿試験を行ったが、反射率、色味、表面抵抗は変化無かった。
【０１０６】
（実施例４８）
樹脂フィルム基板と金属膜の間にガスバリア膜を未挿入にした以外は実施例４７と同等の方法、構造で耐熱遮光フィルムを作製した。実施例１と同様の方法でスパッタリング時のフィルムの表面温度を測定すると１８０〜２２０℃の温度であった。
得られた遮光フィルムを実施例１と同様の方法で評価すると、光学濃度４以上、波長３８０〜７８０ｎｍでの最大反射率２％、最小反射率１．５％、光沢度３％以下の遮光フィルムが得られていることがわかった。また耐熱性についても同様に評価を行ったが、実施例１と全く同じ結果であった。また、表面抵抗値は、１０Ω／□であり、表面の算術平均高さＲａは０．４μｍであることを確認した。
よって、このような耐熱遮光フィルムは、２００℃程度の高熱環境下で使用される液晶プロジェクタの絞りなどの部材として利用することができる。
また、この耐熱遮光フィルムを、８５℃、９０％ＲＨで１０００時間の恒温恒湿試験を行ったところ、若干の色味の変化がみられ、黒色から暗い濃紺色へ変化した。波長３８０〜７８０ｎｍでの分光測定を行うと、最大反射率は５％まで上昇し、最小反射率は０．２％まで低下していることがわかった。試験後の耐熱遮光フィルムの断面ＴＥＭ観察およびＥＤＸによる局所組成分析をおこなうと、金属膜の樹脂フィルム側の一部の領域に酸素が３％ほど進入していることがわかった。このように金属膜が光学特性の異なる二層構造となっていることから上述のような反射率の変化がみられたものと考えられる。
この様な色味の変化があっても最大反射率は５％以下であり、十分に利用することができるが、色味変化を嫌うような用途としては実施例４７に示したようにガスバリア膜を挿入することが有用である。
【０１０７】
（実施例４９）
実施例４７において挿入したガスバリア膜として、酸化シリコン膜（膜厚３０ｎｍ）のスパッタ膜に変えて、耐熱遮光フィルムを試作し、８５℃、９０％ＲＨで１０００時間の恒温恒湿試験を実施したところ、色味や反射率の変化はなく、ガスバリア膜として有効に機能することがわかった。ガスバリア膜を酸化タンタル（膜厚１０ｎｍ）、酸化タングステン（膜厚１０ｎｍ）、酸化バナジウム（膜厚３０ｎｍ）、酸化モリブデン（膜厚２０ｎｍ）、酸化コバルト（膜厚１０ｎｍ）、酸化ニオブ（膜厚１０ｎｍ）、酸化鉄（膜厚１０ｎｍ）、酸化アルミニウム（膜厚３０ｎｍ）、酸化ニッケル膜（膜厚５ｎｍ、３０ｎｍ）とした場合も同様であった。
【０１０８】
（実施例５０）
実施例１〜４５で作製した耐熱遮光フィルムに打ち抜き加工を施し、２０ｍｍ×３０ｍｍの遮光羽根を作製した。遮光羽根１枚の重量は、０．００７〜０．０２ｇとなった。遮光羽根２枚を絞り装置に搭載し、耐久試験を行った。
耐久試験では、ランプ光を照射しながら遮光羽根の作動範囲での最大及び最小の開口径となる範囲を数万回繰り返して遮光羽根を稼動し、その時の遮光羽根の耐熱性、耐摩耗性を評価した。
試験による磨耗による遮光羽根の外観変化はなく、絞り装置内に磨耗による異物の付着は見られなかった。したがって、摩擦、磨耗や騒音が小さいこと、及び樹脂フィルムを基材とすることで軽量化され、遮光羽根を駆動するモーターの駆動トルクを小さくすることができ、摺動性が良好であった。
【０１０９】
（比較例７）
遮光羽根を、厚みが５０μｍの金属製のＳＵＳ薄板に変えた以外は、実施例５０と同じように遮光フィルムを打ち抜き加工し、ＳＵＳ薄板を基材とした２０ｍｍ×３０ｍｍの遮光羽根を作製し、実施例５０と同様の評価を実施した。遮光羽根の重量は、０．２〜０．６ｇであり、実施例５０の本発明の耐熱遮光フィルムを用いた同一形状の遮光羽根の重量と比べて重かった。
試験による磨耗による遮光羽根の外観変化はなく、絞り装置内に磨耗による異物の付着は見られなかった。しかし、遮光羽根の重量が大きいので、遮光羽根を駆動するモーターの駆動トルクが大きくなり、摺動性が悪かった。厚みが７５μｍ、１５０μｍの金属製のＳＵＳ薄板に変えた場合も同様であった。
【０１１０】
【表１】
2008197610.tif 000003
【０１１１】
【表２】
2008197610.tif 000004
【０１１２】
【表３】
2008197610.tif 000005
【図面の簡単な説明】
【０１１３】
【図１】本発明の耐熱遮光フィルムの断面図である。
【図２】本発明の耐熱遮光フィルムを製造するのに用いる巻き取り式スパッタリング装置の一例を示す模式図である。
【図３】本発明の耐熱遮光フィルムを使用した光量調整装置の絞り機構を示す模式図である。
【符号の説明】
【０１１４】
１  樹脂フィルム基材
２  遮光性の金属膜
３  低反射性の酸化物膜
４  巻き出しロール
５  真空ポンプ
６  真空槽
７  冷却キャンロール
８  巻き取りロール
９  マグネトロンカソード
１０  ターゲット
１１  隔壁
１２  耐熱遮光羽根
１３  ガイド孔
１４  ガイドピン
１５  ピン
１６  基板
１７  孔
１８  開口部
【図１】
2008197610.tif 000006
【図２】
2008197610.tif 000007
【図３】
2008197610.tif 000008